(57)【要約】反復伝送方法および装置、ネットワークデバイス、および記憶媒体が、提供される。方法は、反復して伝送されるべきアップリンクデータのための複数の伝送機会（ＴＯ）を決定することと、反復して伝送されるべきアップリンクデータのための複数のＴＯの中の少なくとも１つのＴＯがスロット構成の伝送方向と対立しない条件において、少なくとも１つのＴＯでアップリンクデータを反復して伝送することとを含む。一実施形態において、少なくとも１つのＴＯでアップリンクデータを反復して伝送することは、複数のＴＯがスロット構成の伝送方向と対立しないことに応答して、スロット構成の伝送方向と対立しない時間ドメイン内の最も早いＴＯから反復して伝送されるべきアップリンクデータを伝送することを含む。
2021532632.tif 000002
【特許請求の範囲】
【請求項１】
反復伝送方法であって、前記方法は、
反復して伝送されるべきアップリンクデータのための複数の伝送機会（ＴＯ）を決定することと、
反復して伝送されるべき前記アップリンクデータのための前記複数のＴＯの中の少なくとも１つのＴＯがスロット構成の伝送方向と対立しないことに応答して、前記少なくとも１つのＴＯで前記アップリンクデータを反復して伝送することと
を含む、方法。
【請求項２】
前記少なくとも１つのＴＯで前記アップリンクデータを反復して伝送することは、前記複数のＴＯが前記スロット構成の前記伝送方向と対立しないことに応答して、前記スロット構成の前記伝送方向と対立しない時間ドメイン内の最も早いＴＯから反復して伝送されるべき前記アップリンクデータを伝送することを含む、請求項１に記載の方法。
【請求項３】
前記スロット構成の前記伝送方向と対立しない前記時間ドメイン内の前記最も早いＴＯから反復して伝送されるべき前記アップリンクデータを伝送することは、
反復して伝送されるべき前記アップリンクデータに関して、前記時間ドメイン内の前記最も早いＴＯから、０の冗長性バージョン（ＲＶ）インデックスを伴うアップリンクデータを反復して伝送すること、または、
反復して伝送されるべき前記アップリンクデータに関して、前記時間ドメイン内の前記最も早いＴＯから、前記時間ドメイン内の前記最も早いＴＯに対応するアップリンクデータを反復して伝送することを含む、請求項２に記載の方法。
【請求項４】
前記スロット構成の前記伝送方向と対立しない前記時間ドメイン内の前記最も早いＴＯは、
時間ドメインシンボルのうちのいずれも前記スロット構成の伝送方向と対立しない前記複数のＴＯの中の前記時間ドメイン内の最も早いＴＯ、または
少なくとも１つの時間ドメインシンボルが前記スロット構成の伝送方向と対立しない前記複数のＴＯの中の前記時間ドメイン内の最も早いＴＯ
を備えている、請求項２に記載の方法。
【請求項５】
前記スロット構成は、以下の様式：
ダウンリンク制御情報（ＤＣＩ）内のスロットフォーマットインジケータフィールドを検出すること、または、
無線リソース制御（ＲＲＣ）を介して構成されたスロットフォーマット指示コマンドを検出すること
のうちの少なくとも１つにおいて取得される、請求項１に記載の方法。
【請求項６】
前記少なくとも１つのＴＯで前記アップリンクデータを反復して伝送することは、前記少なくとも１つのＴＯの各々における少なくとも１つの時間ドメインシンボルが前記スロット構成の前記伝送方向と対立しない条件において、前記少なくとも１つのＴＯの各々における対立していない時間ドメインシンボルにレートマッチングを実施することを含む、請求項１−５のいずれか１項に記載の方法。
【請求項７】
前記少なくとも１つのＴＯの各々における前記対立していない時間ドメインシンボルに前記レートマッチングを実施することは、
前記ＲＲＣを介して構成された変調およびコーディングスキーム（ＭＣＳ）パラメータにおける変調順をそのままで維持し、前記少なくとも１つのＴＯの各々における残りの利用可能なリソースに従って、新しいコードレートを計算し、前記新しいコードレートに従って前記レートマッチングを実施すること、または、
アップリンク伝送のための新しい変調順およびコードレートを計算し、前記計算された変調順についての情報を基地局に報告し、前記少なくとも１つのＴＯの各々における前記変調順および残りの利用可能なリソースに従って、前記コードレートを計算すること、または、
利用可能なリソースに従って、新しい変調順を計算し、コードレートおよび前記新しい変調順に従って、前記アップリンクデータを直接送信すること
を含む、請求項６に記載の方法。
【請求項８】
前記少なくとも１つのＴＯで前記アップリンクデータを反復して伝送することは、前記少なくとも１つのＴＯの使用状況を示すためのＤＣＩを検出することを含む、請求項１−４のいずれか１項に記載の方法。
【請求項９】
前記少なくとも１つのＴＯの各々の前記使用状況を示すための前記ＤＣＩを検出することは、
前記ＤＣＩを検出し、アップリンクグラントフリー伝送のために構成された関連性のあるパラメータを入手することと、
示されたＴＯの伝送パラメータを調節し、調節されたＴＯに従って前記アップリンクデータを反復して伝送することと
を含む、請求項８に記載の方法。
【請求項１０】
前記アップリンクグラントフリー伝送のために構成された前記関連性のあるパラメータは、
時間ドメインリソース、
周波数ドメインリソース、
ＲＲＣを介して構成された反復伝送の数Ｋ、
ＴＯインデックス、
ＭＣＳ、または、
再構成されたパラメータが効果を生じる時間、または前記再構成されたパラメータが効果を生じる回数
のうちの少なくとも１つを備えている、請求項９に記載の方法。
【請求項１１】
前記少なくとも１つのＴＯで前記アップリンクデータを反復して伝送することは、
時間ドメインシンボルが前記スロット構成の前記伝送方向と対立するＴＯを前記アップリンクデータの反復伝送の数の中に計数せず、前記アップリンクデータの反復伝送を後に構成されたＴＯで継続すること、
時間ドメインシンボルが前記スロット構成の前記伝送方向と対立するＴＯに対応するアップリンクデータを事前構成された冗長ＴＯで反復して伝送すること、または、
前記スロット構成の伝送方向と対立しない事前構成された冗長ＴＯで前記アップリンクデータを反復して伝送すること
のうちの少なくとも１つをさらに含む、請求項１−５のいずれか１項に記載の方法。
【請求項１２】
時間窓を入手し、前記時間窓を通して遅延ＴＯで前記アップリンクデータを送信する状況を決定することをさらに含む、請求項１１に記載の方法。
【請求項１３】
前記時間窓と端末および基地局の処理時間との総和は、第１の事前設定された閾値以下である、請求項１２に記載の方法。
【請求項１４】
前記時間窓を通して前記遅延ＴＯで前記アップリンクデータを送信する前記状況を決定することは、
反復して伝送されるべき前記アップリンクデータに関して、第１の伝送から前記遅延ＴＯまでの持続時間を前記時間窓と比較し、前記持続時間が前記時間窓以下である条件において、前記アップリンクデータを前記遅延ＴＯで送信すること、または、
反復して伝送されるべき前記アップリンクデータに関して、前記ＤＣＩが位置している制御リソースセットＣＯＲＥＳＥＴの最後のシンボルが検出されたときから前記遅延ＴＯまでの持続時間を前記時間窓と比較し、前記持続時間が前記時間窓以下である条件において、前記アップリンクデータを前記遅延ＴＯで送信すること
を含む、請求項１２に記載の方法。
【請求項１５】
前記少なくとも１つのＴＯで前記アップリンクデータを反復して伝送した後、前記方法は、基地局からの指示に従って前記アップリンクデータの反復の実際の数を決定することをさらに含む、請求項１１に記載の方法。
【請求項１６】
前記基地局からの前記指示に従って前記アップリンクデータの前記反復の実際の数を決定することは、遅延の標的値に従って、前記アップリンクデータが各ＴＯで送信されることが可能であるかどうかを決定し、前記反復の実際の数を決定することを含む、請求項１５に記載の方法。
【請求項１７】
前記スロット構成は、ダウンリンクシンボルＤと、アップリンクシンボルＵと、フレキシブルシンボルＦとを備え、
前記スロット構成の前記伝送方向がＮ個の連続したＦシンボルを示し、前記Ｎ個の連続したＦシンボルの前の隣接シンボルの伝送方向がＤである条件において、前記アップリンクデータは、前記Ｎ個の連続したＦシンボルの中のＭ番目のＦに対応する時間ドメインシンボルから反復して伝送され、Ｍ≦Ｎであり、前記Ｎ個の連続したＦシンボルの中の最初の（Ｍ−１）個のＦシンボルは、保護期間としての役割を果たす、請求項１−５のいずれか１項に記載の方法。
【請求項１８】
Ｄシンボルに対応する時間ドメインシンボル上で伝送されるダウンリンクデータを処理するために要求される持続時間が第２の事前設定された閾値以上の条件において、Ｍ＜Ｎである、請求項１７に記載の方法。
【請求項１９】
反復伝送方法であって、前記方法は、
アップリンクデータの反復伝送のタイプが第１の伝送タイプであるか、第２の伝送タイプであるかを決定することであって、前記第１の伝送タイプは、複数のスロットによる反復して伝送されるアップリンクデータであり、前記第２の伝送タイプは、１つのスロット内の複数のミニスロットによる反復して伝送されるアップリンクデータである、ことと、
前記アップリンクデータの前記反復伝送の前記決定されたタイプに従って、前記アップリンクデータを反復して伝送することと
を含む、方法。
【請求項２０】
前記アップリンクデータの前記反復伝送の前記タイプが前記第１の伝送タイプであるか、前記第２の伝送タイプであるかを決定することは、
上位層無線リソース制御（ＲＲＣ）シグナリングまたは物理層ダウンリンク制御情報（ＤＣＩ）シグナリングの指示を通して、前記アップリンクデータの前記反復伝送の前記タイプが前記第１の伝送タイプであるか、前記第２の伝送タイプであるかを決定することを含む、請求項１９に記載の方法。
【請求項２１】
前記アップリンクデータの前記反復伝送の前記タイプが前記第１の伝送タイプであるか、前記第２の伝送タイプであるかを決定することは、
復調基準信号（ＤＭＲＳ）シーケンス＋直交カバーコード（ＯＣＣ）またはＤＭＲＳシーケンス＋循環シフト（ＣＳ）インデックスに従って、前記第１の伝送タイプと前記第２の伝送タイプとを区別することを含む、請求項１９に記載の方法。
【請求項２２】
前記アップリンクデータの前記反復伝送の前記タイプが前記第１の伝送タイプであるか、前記第２の伝送タイプであるかを決定することは、
異なる無線ネットワーク一時識別子ＲＮＴＩに従って、前記第１の伝送タイプと前記第２の伝送タイプとを区別することを含む、請求項１９に記載の方法。
【請求項２３】
反復伝送方法であって、前記方法は、
反復して伝送されるべきアップリンクデータのための複数の伝送機会（ＴＯ）を決定することと、
反復して伝送されるべき前記アップリンクデータのための前記複数のＴＯの中の少なくとも１つのＴＯがスロット構成の伝送方向と対立しないことに応答して、前記少なくとも１つのＴＯで反復して伝送されるアップリンクデータを受信することと
を含む、方法。
【請求項２４】
前記少なくとも１つのＴＯで前記反復して伝送されるアップリンクデータを受信することは、前記少なくとも１つのＴＯの各々における少なくとも１つの時間ドメインシンボルが前記スロット構成の伝送方向と対立する条件において、前記少なくとも１つのＴＯの各々における対立していない時間ドメインシンボルにレートマッチングを実施することを含む、請求項２３に記載の方法。
【請求項２５】
前記少なくとも１つのＴＯの各々における前記対立していない時間ドメインシンボルに前記レートマッチングを実施することは、無線リソース制御（ＲＲＣ）を介して構成された変調およびコーディングスキーム（ＭＣＳ）パラメータにおける変調順をそのままで維持し、前記少なくとも１つのＴＯの各々における残りの利用可能なリソースに従って新しいコードレートを計算し、前記新しいコードレートに従って前記レートマッチングを実施することを含む、請求項２４に記載の方法。
【請求項２６】
前記少なくとも１つのＴＯで前記反復して伝送されるアップリンクデータを受信することは、前記少なくとも１つのＴＯの使用状況を端末に示すためのダウンリンク制御情報（ＤＣＩ）を構成することを含む、請求項２３に記載の方法。
【請求項２７】
前記少なくとも１つのＴＯの前記使用状況を示すための前記ＤＣＩを構成することは、前記ＤＣＩを通して、アップリンクグラントフリー伝送のために構成された関連性のあるパラメータを再構成することを含む、請求項２６に記載の方法。
【請求項２８】
前記少なくとも１つのＴＯで前記反復して伝送されるアップリンクデータを受信することは、
時間ドメインシンボルが前記スロット構成の前記伝送方向と対立するＴＯを前記アップリンクデータの反復伝送の数の中に計数せず、後に前記ＴＯを構成し、後に構成された前記ＴＯで前記反復して伝送されるアップリンクデータを受信すること、
時間ドメインシンボルが前記スロット構成の前記伝送方向と対立するＴＯに対応するアップリンクデータを事前構成された冗長ＴＯで受信すること、または
前記スロット構成の伝送方向と対立しない事前構成された冗長ＴＯで前記反復して伝送されるアップリンクデータを受信すること
のうちの少なくとも１つを含む、請求項２３に記載の方法。
【請求項２９】
前記少なくとも１つのＴＯで前記反復して伝送されるアップリンクデータを受信することは、端末に前記アップリンクデータの反復伝送の実際の数を通知することを含む、請求項２８に記載の方法。
【請求項３０】
前記端末に前記アップリンクデータの前記反復伝送の前記実際の数を通知することは、遅延の標的値に従って、前記アップリンクデータが各ＴＯで送信されることが可能であるかどうかを決定し、反復の実際の数を決定することを含む、請求項２９に記載の方法。
【請求項３１】
反復伝送装置であって、前記反復伝送装置は、
反復して伝送されるべきアップリンクデータのための複数の伝送機会（ＴＯ）を決定するように構成された伝送決定モジュール（１５１）と、
伝送モジュール（１５２）と
を備え、
前記伝送モジュールは、反復して伝送されるべき前記アップリンクデータのための前記複数のＴＯの中の少なくとも１つのＴＯがスロット構成の伝送方向と対立しない条件において、前記少なくとも１つのＴＯで前記アップリンクデータを反復して伝送するように構成されている、反復伝送装置。
【請求項３２】
反復伝送装置であって、前記反復伝送装置は、
反復して伝送されるべきアップリンクデータのための複数の伝送機会（ＴＯ）を決定するように構成された伝送決定モジュール（１６１）と、
伝送受信モジュール（１６２）と
を備え、
前記伝送受信モジュールは、反復して伝送されるべき前記アップリンクデータのための前記複数のＴＯの中の少なくとも１つのＴＯがスロット構成の伝送方向と対立しない条件において、前記少なくとも１つのＴＯで反復して伝送されるアップリンクデータを受信するように構成されている、反復伝送装置。
【請求項３３】
反復伝送装置であって、前記反復伝送装置は、
アップリンクデータの反復伝送のタイプが第１の伝送タイプであるか、第２の伝送タイプであるかを決定するように構成されたタイプ決定モジュール（１７１）であって、前記第１の伝送タイプは、複数のスロットによる反復して伝送されるアップリンクデータであり、前記第２の伝送タイプは、１つのスロット内の複数のミニスロットによる反復して伝送されるアップリンクデータである、タイプ決定モジュールと、
前記アップリンクデータの前記反復伝送の前記決定されたタイプに従って、前記アップリンクデータを反復して伝送するように構成された伝送モジュール（１７２）と
を備えている、反復伝送装置。
【請求項３４】
プロセッサ（１８１）と、メモリ（１８２）と、通信バス（１８３）とを備えているネットワークデバイスであって、
前記通信バス（１８３）は、前記プロセッサ（１８１）と前記メモリ（１８２）との間の接続および通信を実装するように構成され、
前記プロセッサ（１８１）は、前記メモリ（１８２）に記憶された１つ以上のコンピュータプログラムを実行し、請求項１−１８のいずれか１項に記載の方法、請求項１９−２２のいずれか１項に記載の方法、または請求項２３−３０のいずれか１項に記載の方法のうちの少なくとも１つを実装するように構成されている、ネットワークデバイス。
【請求項３５】
１つ以上のコンピュータプログラムを記憶しているコンピュータ読み取り可能な記憶媒体であって、前記１つ以上のコンピュータプログラムは、請求項１−１８のいずれか１項に記載の方法、請求項１９−２２のいずれか１項に記載の方法、または請求項２３−３０のいずれか１項に記載の方法のうちの少なくとも１つを実装するために、１つ以上のプロセッサによって実行可能である、コンピュータ読み取り可能な記憶媒体。
【発明の詳細な説明】
【技術分野】
【０００１】
本願は、その開示が参照することによってその全体として本明細書に組み込まれる２０１８年８月１０日に出願された中国特許出願第２０１８１０９１０２２５．９号の優先権を主張する。
【０００２】
（技術分野）
本開示は、限定ではないが、ネットワーク通信の分野に関し、特に、限定ではないが、反復伝送方法および装置、ネットワークデバイス、およびコンピュータ読み取り可能な記憶媒体に関する。
【背景技術】
【０００３】
（背景）
第５世代モバイル通信技術（５Ｇ）の第１段階における標準策定が、完了している。標準策定および技術開発動向の視点から、５Ｇシステムは、より高いレート（例えば、Ｇｂｐｓ）、マッシブリンク（例えば、１Ｍ／ｋｍ２）、超低遅延（例えば、１ミリ秒）、より高い信頼性、１００倍のエネルギー効率改良、および新しい要求の変化をサポートするための他の技術的インジケータについての研究に専念している。
【０００４】
５Ｇの第１段階において、動的スケジューリングおよびグラントフリースロットベースの反復によるスロットベースの集約が、カバレッジを確実にするように導入され、それは、端末が複数のスロットの使用によってトランスポートブロック（ＴＢ）を反復して送信し、ＴＢが各スロット上で同じ時間ドメインリソースを配分されることを意味する。集約または反復され得るスロットの数は、１／２／４／８である。５Ｇの第２段階において、超高信頼の低遅延伝送の特徴をサポートし、短い伝送期間内に超高信頼の低遅延トラフィックを伝送するために、動的スケジューリングおよびアップリンクグラントフリー反復伝送によるアップリンク集約が、強化され、ミニスロットベースの集約または反復が、導入される。すなわち、端末は、複数のミニスロット上でＴＢを反復して送信し、複数のミニスロットは、１つのスロット内で時間ドメイン内で連続し、各ミニスロットは、同じ時間ドメイン持続時間を有する。
【０００５】
単に、異なるスロット内の対応する時間ドメインシンボル上でアップリンクデータを反復して送信するためのソリューションが、策定されている。単一のスロット内でアップリンクデータを反復して送信するためのソリューションは、さらなる限界を有する。伝送機会が、スロット構成の伝送方向と対立するとき、反復して伝送されるアップリンクデータ全体が、破棄され、それは、ネットワークリソースを大いに無駄にする。
【発明の概要】
【発明が解決しようとする課題】
【０００６】
（要約）
本開示の実施形態は、ＩＡＢアーキテクチャ内のＩＡＢアクセスの関連技術分野内の問題を主に解決する反復伝送方法および装置、ネットワークデバイス、およびコンピュータ読み取り可能な記憶媒体を提供する。
【課題を解決するための手段】
【０００７】
本開示の実施形態は、反復伝送方法を提供する。方法は、下で説明されるステップを含む。
【０００８】
反復して伝送されるべきアップリンクデータのための複数の伝送機会（ＴＯ）が、決定される。
【０００９】
反復して伝送されるべきアップリンクデータのための複数のＴＯの中の少なくとも１つのＴＯがスロット構成の伝送方向と対立しないとき、アップリンクデータが、ＴＯで反復して伝送される。
【００１０】
本開示の実施形態は、反復伝送方法をさらに提供する。方法は、下で説明されるステップを含む。
【００１１】
アップリンクデータの反復伝送のタイプが第１の伝送タイプであるか、第２の伝送タイプであるかが、決定される。第１の伝送タイプは、複数のスロットによる反復して伝送されるアップリンクデータであり、第２の伝送タイプは、１つのスロット内の複数のミニスロットによる反復して伝送されるアップリンクデータである。
【００１２】
アップリンクデータは、アップリンクデータの反復伝送の決定されたタイプに従って、反復して伝送される。
【００１３】
本開示の実施形態は、反復伝送方法をさらに提供する。方法は、下で説明されるステップを含む。
【００１４】
反復して伝送されるべきアップリンクデータのための複数のＴＯが、決定される。
【００１５】
反復して伝送されるべきアップリンクデータのための複数のＴＯの中の少なくとも１つのＴＯがスロット構成の伝送方向と対立しないとき、反復して伝送されるアップリンクデータが、ＴＯで受信される。
【００１６】
本開示の実施形態は、反復伝送装置をさらに提供する。装置は、第１の伝送決定モジュールと、第１の伝送モジュールとを含む。
【００１７】
第１の伝送決定モジュールは、反復して伝送されるべきアップリンクデータのための複数のＴＯを決定するように構成される。
【００１８】
第１の伝送モジュールは、反復して伝送されるべきアップリンクデータのための複数のＴＯの中の少なくとも１つのＴＯがスロット構成の伝送方向と対立しないとき、ＴＯでアップリンクデータを反復して伝送するように構成される。
【００１９】
本開示の実施形態は、反復伝送装置をさらに提供する。装置は、第２の伝送決定モジュールと、伝送受信モジュールとを含む。
【００２０】
第２の伝送決定モジュールは、反復して伝送されるべきアップリンクデータのための複数のＴＯを決定するように構成される。
【００２１】
伝送受信モジュールは、反復して伝送されるべきアップリンクデータのための複数のＴＯの中の少なくとも１つのＴＯがスロット構成の伝送方向と対立しないとき、ＴＯで反復して伝送されるアップリンクデータを受信するように構成される。
【００２２】
本開示の実施形態は、反復伝送装置をさらに提供する。装置は、タイプ決定モジュールと、第２の伝送モジュールとを含む。
【００２３】
タイプ決定モジュールは、アップリンクデータの反復伝送のタイプが第１の伝送タイプであるか、第２の伝送タイプであるかを決定するように構成される。第１の伝送タイプは、複数のスロットによる反復して伝送されるアップリンクデータであり、第２の伝送タイプは、１つのスロット内の複数のミニスロットによる反復して伝送されるアップリンクデータである。
【００２４】
第２の伝送モジュールは、アップリンクデータの反復伝送の決定されたタイプに従って、アップリンクデータを反復して伝送するように構成される。
【００２５】
本開示の実施形態は、ネットワークデバイスをさらに提供する。ネットワークデバイスは、プロセッサと、メモリと、通信バスとを含む。
【００２６】
通信バスは、プロセッサとメモリとの間の接続および通信を実装するように構成される。
【００２７】
プロセッサは、メモリ内に記憶された１つ以上のコンピュータプログラムを実行し、前述の方法を実装するように構成される。
【００２８】
本開示の実施形態は、１つ以上のプログラムを記憶しているコンピュータ読み取り可能な記憶媒体をさらに提供し、１つ以上のプログラムは、前述の方法を実装するために、１つ以上のプロセッサによって実行可能である。
【図面の簡単な説明】
【００２９】
【図１】図１は、本開示の第１の実施形態による、反復送信方法のフローチャートである。
【図２】図２は、本開示の第２の実施形態による、反復送信方法のフローチャートである。
【図３】図３は、本開示のある実施形態による、アップリンクデータ伝送を図示する概略図である。
【図４】図４は、本開示のある実施形態による、アップリンクデータ伝送を図示する概略図である。
【図５】図５は、本開示のある実施形態による、アップリンクデータ伝送を図示する概略図である。
【図６】図６は、本開示のある実施形態による、アップリンクデータ伝送を図示する概略図である。
【図７】図７は、本開示のある実施形態による、アップリンクデータ伝送を図示する概略図である。
【図８】図８は、本開示のある実施形態による、アップリンクデータ伝送を図示する概略図である。
【図９】図９は、本開示のある実施形態による、遅延を図示する概略図である。
【図１０】図１０は、本開示のある実施形態による、アップリンクデータ伝送を図示する概略図である。
【図１１】図１１は、本開示のある実施形態による、遅延を図示する概略図である。
【図１２】図１２は、本開示のある実施形態による、アップリンクデータ伝送を図示する概略図である。
【図１３】図１３は、本開示のある実施形態による、アップリンクデータ伝送を図示する概略図である。
【図１４】図１４は、本開示の第１２の実施形態による、反復伝送方法のフローチャートである。
【図１５】図１５は、本開示の第１３の実施形態による、反復伝送装置の構造図である。
【図１６】図１６は、本開示の第１４の実施形態による、反復伝送装置の構造図である。
【図１７】図１７は、本開示の第１５の実施形態による、反復伝送装置の構造図である。
【図１８】図１８は、本開示の第１６の実施形態による、ネットワークデバイスの構造図である。
【発明を実施するための形態】
【００３０】
（詳細な説明）
本開示の実施形態が、随意に、図面および具体的実装と併せて詳細に下で説明される。本明細書に説明される実施形態は、本開示を解説し、本開示を限定しないことを意図されている。
【００３１】
動的スケジューリングまたはグラントフリーミニスロットベースの反復に基づくミニスロットベースの集約にかかわらず、伝送機会がスロット構成の伝送方向と衝突するとき、伝送機会が省略されるかどうか、および反復伝送機会のリソース構成を決定する方法が、考慮されるべきである。さらに、スロット構成の伝送方向との衝突に起因して、基地局は、異なるスロット上でさえ構成される複数の伝送機会を構成することを遅延させ得る。上で列挙されるように、５Ｇシステムは、厳密な遅延要件を伴うトラフィックをサポートする。端末がある遅延以内に複数の反復アップリンクデータを完了することを確実にする方法も、考慮されるべき問題である。加えて、本開示の複数の実施形態において、スロット構成の伝送方向との伝送機会の衝突も、スロット構成の伝送方向との伝送機会の対立と称され得ることを述べる価値がある。アップリンクデータは、ＴＢ、物理アップリンク共有チャネル（ＰＵＳＣＨ）、および端末から基地局に送信されるデータ等を具体的に含み得、それらの全ては、本開示の複数の実施形態において、アップリンクデータと見なされ得る。
【００３２】
（第１の実施形態）
【００３３】
本実施形態は、反復伝送方法を提供する。図１を参照すると、反復伝送方法は、Ｓ１０１と、Ｓ１０２とを含む。
【００３４】
Ｓ１０１において、反復して伝送されるべきアップリンクデータのための複数の伝送機会（ＴＯ）が、決定される。
【００３５】
Ｓ１０２において、反復して伝送されるべきアップリンクデータのための複数のＴＯの中の少なくとも１つのＴＯがスロット構成の伝送方向と対立しないとき、アップリンクデータが、ＴＯ上で反復して伝送される。
【００３６】
いくつかの実施形態において、アップリンクデータがＴＯ上で反復して伝送されるステップは、下で説明されるステップを含み得る。
【００３７】
反復して伝送されるべきアップリンクデータは、スロット構成の伝送方向と対立しない時間ドメイン内の最も早いＴＯから伝送される。スロット構成は、アップリンクシンボルＵと、ダウンリンクシンボルＤと、フレキシブルに構成されるシンボルＦとを含み得る。本開示の実施形態において反復して伝送されるべきアップリンクデータに関して、アップリンクデータと合致した伝送方向は、Ｕであり、すなわち、スロット構成の伝送方向がＵであるとき、アップリンクデータの伝送機会（ＴＯ）は、スロット構成の伝送方向と対立せず、スロット構成の伝送方向がＤである場合、ＴＯは、それと確実に対立し、スロット構成の伝送方向がＦである場合、対立があるかどうかが、現在の伝送状況に従って決定される。
【００３８】
いくつかの実施形態において、反復して伝送されるべきアップリンクデータが、スロット構成の伝送方向と対立しない時間ドメイン内の最も早いＴＯから伝送されるステップは、下で説明されるステップを含み得る。
【００３９】
反復して伝送されるべきアップリンクデータに関して、０の冗長性バージョン（ＲＶ）インデックスを伴うアップリンクデータが、時間ドメイン内の最も早いＴＯから反復して伝送される。概して、アップリンクデータを伝送し得る最も早いＴＯに対応するＲＶインデックスは、０であり、それは、基地局と端末との間の合意に従い、そのルールに準拠する。反復して伝送されるべき同じアップリンクデータが、０のＲＶインデックスを伴う２つ以上のアップリンクデータを含むとき、０の第１のＲＶインデックスまたは０の任意のＲＶインデックスが、参照とされ得る。
【００４０】
代替として、反復して伝送されるべきアップリンクデータに関して、時間ドメイン内の最も早いＴＯに対応するアップリンクデータが、時間ドメイン内の最も早いＴＯから反復して伝送される。ＲＶ＝０のへ参照を除き、対立しない時間ドメイン内の最も早いＴＯに対応するアップリンクデータは、時間ドメイン内の最も早いＴＯから伝送され始め得る。この場合、伝送され始めるアップリンクデータのＲＶインデックスは、０ではないこともある。
【００４１】
いくつかの実施形態において、スロット構成の伝送方向と対立しない時間ドメイン内の最も早いＴＯは、以下のＴＯを含む：複数のＴＯの中の、時間ドメインシンボルのうちのいずれもスロット構成の伝送方向と対立しない時間ドメイン内の最も早いＴＯであり、これは、時間ドメイン内の最も早いＴＯに関して、ＴＯ内の時間ドメインシンボルのうちのいずれも、スロット構成の伝送方向と対立しないことを意味し、ＴＯが、２つの時間ドメインシンボルを含む場合、２つの時間ドメインシンボルのうちのいずれも、スロット構成の伝送方向と対立せず、例えば、スロット構成の対応する伝送方向は、ＵＵまたはＦＵである；または、複数のＴＯの中の、少なくとも１つの時間ドメインシンボルが、スロット構成の伝送方向と対立しない、時間ドメイン内の最も早いＴＯ。この場合、時間ドメイン内の最も早いＴＯは、ＴＯ内の時間ドメインシンボルのうちの１つが対立しない限り、ＴＯは、対立しない時間ドメイン内の最も早いＴＯと見なされ得ることを意味する。
【００４２】
いくつかの実施形態において、スロット構成は、下記の様式のうちの少なくとも１つにおいて取得され得る。
【００４３】
スロット構成は、ダウンリンク制御情報（ＤＣＩ）によって示される。
【００４４】
スロット構成は、無線リソース制御（ＲＲＣ）によって示される。
【００４５】
いくつかの実施形態において、アップリンクデータがＴＯで反復して伝送されるステップは、ＴＯ内の少なくとも１つの時間ドメインシンボルが、スロット構成の伝送方向と対立しないとき、レートマッチングが、ＴＯ内の対立していない時間ドメインシンボルに実施されることを含み得る。ＴＯ内の少なくとも１つの時間ドメインシンボルが、スロット構成の伝送方向と対立せず、他のシンボルが、対立し得るので、アップリンクデータの正常な伝送を確実にするために、レートマッチングが、ＴＯ内の対立していない時間ドメインシンボルに実施される。
【００４６】
いくつかの実施形態において、レートマッチングがＴＯ内の対立していない時間ドメインシンボルに実施されるステップは、下で説明されるステップを含み得る。
【００４７】
ＲＲＣを介して構成された変調およびコーディングスキーム（ＭＣＳ）パラメータにおける変調順が、不変で維持され、新しいコードレートが、ＴＯ内の残りの利用可能なリソースに従って計算され、レートマッチングが、新しいコードレートに従って実施される。
【００４８】
代替として、新しい変調順およびコードレートが、アップリンク伝送のために計算され、計算された変調順についての情報が、基地局に報告され、コードレートが、変調順およびＴＯ内の残りの利用可能なリソースに従って計算される。
【００４９】
代替として、新しい変調順が、利用可能なリソースに従って計算され、アップリンクデータが、コードレートおよび新しい変調順に従って直接送信される。
【００５０】
いくつかの実施形態において、アップリンクデータがＴＯで反復して伝送されるステップは、下で説明されるステップをさらに含み得る。
【００５１】
ＤＣＩが、ＴＯの使用状況を示すように検出される。ＤＣＩは、基地局側のアップリンクデータの反復伝送のための新しく追加された検出手段であり、端末は、ＤＣＩを検出することによって、現在のＴＯの使用状況を決定し得る。いくつかの実施形態において、ＤＣＩがＴＯの使用状況を示すように検出されるステップは、下で説明されるステップを含む。
【００５２】
ＤＣＩは、アップリンクグラントフリー伝送のために構成された関連性のあるパラメータを入手するために検出される。
【００５３】
示されたＴＯの伝送パラメータが、調節され、アップリンクデータが、調節されたＴＯに従って反復して伝送される。
【００５４】
いくつかの実施形態において、アップリンクグラントフリー伝送のために構成された関連性のあるパラメータは、以下のうちの少なくとも１つを含み得る：時間ドメインリソース、周波数ドメインリソース、ＲＲＣを介して構成された反復伝送の数Ｋ、ＴＯインデックス、ＭＣＳ、または、再構成されたパラメータが効果を生じる時間、または再構成されたパラメータが効果を生じる回数。
【００５５】
いくつかの実施形態において、アップリンクデータがＴＯで反復して伝送されるステップは、時間ドメインシンボルがスロット構成の伝送方向と対立するＴＯをアップリンクデータの反復伝送の数の中に計数せず、後に構成されたＴＯでアップリンクデータの反復伝送を継続することをさらに含み得る。これは、アップリンクデータが、対立するＴＯで伝送されず、対立しないＴＯが、伝送のために後の時間ドメインシンボル上で直接構成されることを意味する。
【００５６】
いくつかの実施形態において、アップリンクデータがＴＯで反復して伝送されるステップは、時間ドメインシンボルがスロット構成の伝送方向と対立するＴＯに対応するアップリンクデータを反復して伝送することが、事前構成された冗長ＴＯまで延期されることをさらに含む。これは、基地局が端末のためのＴＯを構成するとき、端末によって要求される反復の数が、アップリンク信号の反復伝送をフレキシブルに調節するために、ある冗長構成量だけ直接加算されることを意味する。例えば、端末によって要求される反復伝送の数が、４であるとき、端末のために基地局によって構成されるＴＯの数は、５であり得、それによって、最初の４つのＴＯのうちの１つが対立するとき、冗長ＴＯは、アップリンクデータを反復して送信するための４つの利用可能なＴＯを構成し得る。
【００５７】
いくつかの実施形態において、アップリンクデータがＴＯで反復して伝送されるステップは、スロット構成の伝送方向と対立しない事前構成されたＴＯでアップリンクデータを反復して伝送することをさらに含む。これは、ＴＯが、事前構成様式で直接構成され、スロット構成の伝送方向と対立するであろう時間ドメインシンボが、スキップされ、ＴＯが、対立しない時間ドメインシンボル上で直接構成されることを意味する。
【００５８】
いくつかの実施形態において、時間窓を入手し、時間窓を通して遅延ＴＯでアップリンクデータを送信する状況を決定することが、さらに含まれる。時間窓は、遅延を確実にするように設定される。５Ｇトラフィックの中の、超高信頼の低遅延通信（ＵＲＬＬＣ）は、高い遅延要件を有する。対立するＴＯに対応するアップリンクデータが、全て遅延している場合、遅延要件は、満たされてないこともあり、ＵＲＬＬＣトラフィックの問題をもたらす。したがって、時間窓は、アップリンクデータの反復伝送の数が予想を超えるかどうかを監視するように設定される。
【００５９】
いくつかの実施形態において、時間窓と端末および基地局の処理時間との総和は、第１の事前設定された閾値以下である。第１の事前設定された閾値は、異なるトラフィックの遅延要件に従って変動する。例えば、ＵＲＬＬＣトラフィックに関して、第１の事前設定された閾値のサイズは、１ミリ秒であり得る。当然ながら、本実施形態は、第１の事前設定された閾値の可能な例を提供するにすぎない。当業者は、第１の事前設定された閾値が、対応するトラフィックタイプのための合理的な持続時間であり得、本実施形態に限定されないことを理解するはずである。
【００６０】
いくつかの実施形態において、時間窓を通して遅延ＴＯでアップリンクデータを送信する状況を決定することは、下で説明されるステップを含む。
【００６１】
反復して伝送されるべきアップリンクデータに関して、第１の伝送から遅延ＴＯまでの持続時間が、時間窓と比較され、持続時間が時間窓以下であるとき、アップリンクデータは、遅延ＴＯで送信され得る。
【００６２】
代替として、反復して伝送されるべきアップリンクデータに関して、ＤＣＩが位置している制御リソースセットＣＯＲＥＳＥＴの最後のシンボルが検出されるときから遅延ＴＯまでの持続時間が、時間窓と比較され、持続時間が時間窓以下であるとき、アップリンクデータは、遅延ＴＯで送信され得る。
【００６３】
いくつかの実施形態において、アップリンクデータがＴＯで反復して伝送されるステップは、下で説明されるステップをさらに含み得る。
【００６４】
アップリンクデータの反復の実際の数が、基地局からの指示に従って決定される。この場合、基地局からの指示は、反復伝送の数を決定するために直接受信される。例えば、基地局は、アップリンクデータの遅延に従って、反復伝送の数を２であると決定し、次いで、端末側は、対立しないＴＯで２回、アップリンクデータを反復して伝送する。数が４に設定される場合でさえも、基地局によって示される２回の反復伝送が、依然として、実施される。
【００６５】
いくつかの実施形態において、アップリンクデータの反復の実際の数が基地局からの指示に従って決定されるステップは、下で説明されるステップを含み得る。
【００６６】
遅延の標的値に従って、アップリンクデータが各ＴＯで送信されることが可能であるかどうかが決定され、反復の実際の数が、決定される。
【００６７】
いくつかの実施形態において、スロット構成は、ダウンリンクシンボルＤと、アップリンクシンボルＵと、フレキシブルに構成されるシンボルＦとを含み、スロット構成の伝送方向が、Ｎ個の連続したＦシンボルを示し、Ｎ個の連続したＦシンボルの前の隣接シンボルの伝送方向が、Ｄであるとき、アップリンクデータは、Ｎ個の連続したＦシンボルの中のＭ番目のＦに対応する時間ドメインシンボルから反復して伝送され、Ｍ≦Ｎであり、Ｎ個の連続したＦシンボルの中の最初の（Ｍ−１）個のＦシンボルは、保護期間としての役割を果たす。ダウンリンクデータが、Ｄシンボル内で、異なるタイプのダウンリンクデータに従って送信され、ダウンリンクデータが占有する傾向がある処理持続時間が、ダウンリンクデータのための時間ドメインシンボルのみならず、遅れたある期間も含み得るので、Ｆは、アップリンクデータを送信するために好適ではない。ダウンリンクデータ処理を確実にするために、Ｎ個の連続したＦシンボルの中のＭ番目のＦが、アップリンクデータを伝送するためのＴＯとしての役割を果たし、最初の（Ｍ−１）Ｆシンボルが、ダウンリンクデータのための保護期間としての役割を果たし得る。
【００６８】
いくつかの実施形態において、Ｄシンボルに対応する時間ドメインシンボル上で伝送されるダウンリンクデータを処理するために要求される持続時間が、第２の事前設定された閾値以上のとき、Ｍ＜Ｎである。ダウンリンクデータは、概して、ＤＣＩ、半静的に構成される物理ダウンリンク共有チャネル（ＰＤＳＣＨ）、または物理ダウンリンク制御チャネル（ＰＤＣＣＨ）等である。
【００６９】
本実施形態は、反復伝送方法を提供する。反復して伝送されるべきアップリンクデータのための複数の伝送機会（ＴＯ）が、決定され、反復して伝送されるべきアップリンクデータのための複数のＴＯの中の少なくとも１つのＴＯが、スロット構成の伝送方向と対立しないとき、アップリンクデータは、ＴＯで反復して伝送され、それによって、アップリンクデータの反復伝送を実装し、反復して伝送されるべきアップリンクデータが対立の場合に直接破棄されることを防止し、ネットワークリソースを節約し、ユーザ体験を確実にする。
【００７０】
（第２の実施形態）
【００７１】
本実施形態は、反復伝送方法を提供する。図２を参照すると、反復伝送方法は、Ｓ２０１と、Ｓ２０２とを含む。
【００７２】
Ｓ２０１において、反復して伝送されるべきアップリンクデータのための複数のＴＯが、決定される。
【００７３】
Ｓ２０２において、反復して伝送されるべきアップリンクデータのための複数のＴＯの中の少なくとも１つのＴＯが、スロット構成の伝送方向と対立しないとき、反復して伝送されるアップリンクデータが、ＴＯを通して受信される。
【００７４】
いくつかの実施形態において、反復して伝送されるアップリンクデータがＴＯで受信されるステップは、ＴＯ内の少なくとも１つの時間ドメインシンボルが、スロット構成の伝送方向と対立するとき、レートマッチングがＴＯ内の対立していない時間ドメインシンボルに実施されることを含む。
【００７５】
いくつかの実施形態において、レートマッチングがＴＯ内の対立していない時間ドメインシンボルに実施されるステップは、ＲＲＣを介してＭＣＳパラメータにおける変調順をそのままで維持し、ＴＯ内の残りの利用可能なリソースに従って、新しいコードレートを計算し、新しいコードレートに従って、レートマッチングを実施することを含む。
【００７６】
いくつかの実施形態において、反復して伝送されるアップリンクデータがＴＯで受信されるステップは、下で説明されるステップを含む。
【００７７】
ＤＣＩは、ＴＯの使用状況を端末に示すように構成される。
【００７８】
いくつかの実施形態において、ＤＣＩがＴＯの使用状況を端末に示すように構成されるステップは、下で説明されるステップを含む。
【００７９】
アップリンクグラントフリー伝送のために構成された関連性のあるパラメータが、ＤＣＩを通して再構成される。
【００８０】
いくつかの実施形態において、反復して伝送されるアップリンクデータがＴＯを通して受信されるステップは、下で説明されるステップのうちの少なくとも１つを含み得る。
【００８１】
時間ドメインシンボルがスロット構成の伝送方向と対立するＴＯは、アップリンクデータの反復伝送の数の中に計数されず、ＴＯは、後に構成され、反復して伝送されるアップリンクデータは、後に構成されたＴＯで受信される。
【００８２】
時間ドメインシンボルがスロット構成の伝送方向と対立するＴＯに対応するアップリンクデータが、事前構成された冗長ＴＯを通して受信される。
【００８３】
反復して伝送されるアップリンクデータは、スロット構成の伝送方向と対立しない事前構成された冗長ＴＯを通して受信される。
【００８４】
いくつかの実施形態において、反復して伝送されるアップリンクデータがＴＯを通して受信されるステップは、下で説明されるステップを含む。
【００８５】
端末は、アップリンクデータの反復伝送の実際の数を通知される。
【００８６】
いくつかの実施形態において、端末がアップリンクデータの反復伝送の実際の数を通知されるステップは、下で説明されるステップを含む。
【００８７】
遅延の標的値に従って、アップリンクデータが各ＴＯで送信されることが可能であるかどうかが決定され、反復の実際の数が、決定される。
【００８８】
（第３の実施形態）
【００８９】
本実施形態は、反復伝送方法を提供する。５Ｇの第１段階における規格によると、あるＴＢに関して、端末が、単に、ＲＶ＝０に対応する時間ドメイン位置において初めてＴＢを送信することができる。以下の例において、反復の数Ｋは、４である。
【００９０】
ＲＶパターンは、｛０２３１｝である。図３に示されるように、ＴＯ＃１−ＴＯ＃４が、それぞれ、０、２、３、１のＲＶインデックスに対応し、ＴＯ＃１が位置する時間ドメインシンボルが、動的スロットフォーマットインジケータ（ＳＦＩ）と衝突するとき、反復伝送は、ＰＵＳＣＨを伝送し得るＴＯまで延期される必要があり、０のＲＶインデックスも、ＴＯまで延期される。すなわち、ＴＯ＃１での０のＲＶインデックスは、ＴＯ＃２まで延期される。次いで、端末は、ＴＯ＃２でＴＢの第１の伝送を実施する。
【００９１】
ＲＶパターンは、｛０３０３｝である。図４に示されるように、ＴＯ＃１−ＴＯ＃４が、それぞれ、０、３、０、３のＲＶインデックスに対応し、ＴＯ＃１−ＴＯ＃３が位置する全ての時間ドメインシンボルが、動的ＳＦＩと衝突するとき、ＴＯ＃１に対応する０のＲＶインデックスが、ＴＯ＃４まで延期される必要がある。次いで、端末は、ＴＯ＃４でＲＶ＝０からＴＢの第１の伝送を実施する。
【００９２】
ＲＶパターンは、｛０３０３｝である。図５に示されるように、ＴＯ＃１−ＴＯ＃４が、それぞれ、０、３、０、３のＲＶインデックスに対応し、ＴＯ＃１が位置する時間ドメインシンボルが、動的ＳＦＩと衝突するとき、ＴＯ＃１に対応する０のＲＶインデックスが、ＴＯ＃２まで延期される必要がある。次いで、端末は、ＴＯ＃２でＲＶ＝０からＴＢの第１の伝送を実施する。
【００９３】
（第４の実施形態）
【００９４】
本実施形態は、反復伝送方法を提供する。５Ｇの第２段階における標準研究において、第１段階が強化される場合、端末は、ＲＶ＝０に対応する時間ドメイン位置において初めて送信することを実施ことに、もはや限定されず、端末が、あるＴＢをフレキシブルに送信し得ることを確実にする。以下の例において、反復の数Ｋは、４である。
【００９５】
ＲＶパターンは、｛０２３１｝である。図６に示されるように、ＴＯ＃１−ＴＯ＃４が、それぞれ、０、２、３、１のＲＶインデックスに対応し、ＴＯ＃１が位置する時間ドメインシンボルが、動的ＳＦＩと衝突するとき、端末は、ＰＵＳＣＨを伝送し得るＴＯでＴＢを送信し得る。すなわち、端末は、ＴＯ＃２でＲＶインデックス＝２からＴＢの第１の伝送を実施する。
【００９６】
ＲＶパターンは、｛０３０３｝である。図７に示されるように、ＴＯ＃１−ＴＯ＃４が、それぞれ、０、３、０、３のＲＶインデックスに対応し、ＴＯ＃１−ＴＯ＃３が位置する全ての時間ドメインシンボルが、動的ＳＦＩと衝突するとき、端末は、ＴＯ＃４でＲＶ＝３からＴＢの第１の伝送を実施する。
【００９７】
ＲＶパターンは、｛０３０３｝である。図８に示されるように、ＴＯ＃１−ＴＯ＃４が、それぞれ、０、３、０、３のＲＶインデックスに対応し、ＴＯ＃１が位置する時間ドメインシンボルが、動的ＳＦＩと衝突するとき、端末は、ＴＯ＃２でＲＶ＝３からＴＢの第１の伝送を実施する。
【００９８】
（第５の実施形態）
【００９９】
本実施形態は、反復伝送方法を提供する。単純かつ効果的な方法は、ｇＮＢおよびユーザ機器（ＵＥ）が、ＵＬグラントフリー伝送におけるある反復が動的ＳＦＩと対立する場合、レートマッチングが反復が位置する時間ドメイン内のＴＯに実施され、レートマッチングが、反復のためのＴＯに利用可能なシンボルに従って再び実施される（反復のためのＴＯでの利用可能なシンボルは、動的ＳＦＩ内の伝送方向と対立しないシンボルとして定義される）ことに合意することである。レートマッチング後の対応するパラメータ（変調順およびコードレート等）を示すためのＤＣＩシグナリングの欠如に起因して、ｇＮＢおよびＵＥは、レートマッチングを実施するための基準を規定し、デコードエラーを引き起こす基地局側とユーザ側との間の一貫性のない理解を回避する必要がある。ｇＮＢとＵＥとの間でレートマッチングを実施するための基準は、以下の選択様式のうちの少なくとも１つを含む。
【０１００】
（１）レートマッチングは、動的ＳＦＩと対立するアップリンクグラントフリー伝送における反復伝送に関して、ＴＯの全てに実施される。レートマッチングの原理は、ＲＲＣを介して構成されるＭＣＳパラメータにおける変調順をそのままで維持することである。ユーザおよび基地局の両方が、衝突するある反復伝送において、残りの利用可能なリソースに従って、新しいコードレートを計算し、ユーザが、新しいコードレートに従って、レートマッチングを実施する。
【０１０１】
（２）レートマッチングは、動的ＳＦＩと対立するアップリンクグラントフリー伝送における反復伝送に関して、ＴＯの全てに実施される。レートマッチングの原理は、ＲＲＣを介して構成されるＭＣＳパラメータにおける変調順およびコードレートをＵＥが変更することを可能にすることである。ＵＥは、計算された新しい変調順およびコードレートに従って、アップリンク伝送を実施し、ユーザは、計算された変調順についての情報を基地局に報告する。基地局は、ＵＥによって報告される変調順とデータ復調のためのＴＯ内の残りの利用可能なリソースとに従って、コードレートを計算する。
【０１０２】
ユーザは、下記の２つの様式で変調順についての情報を報告し得る。
【０１０３】
様式１：ＰＵＣＣＨが、使用される。ＲＲＣまたはＤＣＩを通してグラントフリーＰＵＳＣＨリソースを構成するとき、基地局は、ＰＵＣＣＨリソースも構成する。ユーザがＭＣＳを調節した後、ユーザは、ＴＯに対応するグラントフリーリソースについてのデータを伝送し、ＰＵＣＣＨ上でＭＣＳ情報を送信する。さらに、２ビット等のＮビットが、ＭＣＳコレスポンデンスのためにＲＲＣを介して構成される。０１は、４位相偏移変調（ＱＰＳＫ）を表す。端末が、ＱＰＳＫであるようにＭＣＳを調節するとき、ＰＵＣＣＨは、ＱＰＳＫを意味する２ビット０１を搬送する。すなわち、グラントフリーリソース以外のリソースが、通知のために使用される。
【０１０４】
様式２：ＰＵＳＣＨが、使用される。基地局と端末とは、ＭＣＳに送信するためのＲＢインデックスに事前に合意し、ＭＣＳを送信するために固定された変調順およびコードレートを使用することに合意する。例えば、低インデックスＲＢ、およびＱＰＳＫ＋１／２のコードレートが、使用される。例えば、ＰＵＳＣＨに配分される周波数ドメインリソースが、ＲＢ１−ＲＢ１０であるとき、ＲＢ１が、ＭＣＳ情報を送信するために使用される。次いで、基地局は、いくつかのリソースがＳＦＩと衝突することを把握する。基地局は、最初に、ＲＢ１をデコードしてＭＣＳを取得し、次いで、ＰＵＳＣＨ上のデータ情報をデコードおよび復調するであろう。
【０１０５】
（３）レートマッチングは、動的ＳＦＩと対立するアップリンクグラントフリー伝送における反復伝送に関して、ＴＯの全てに実施される。レートマッチングの原理は、ＲＲＣを介して構成されるＭＣＳパラメータにおけるコードレートをそのままで維持することである。ＵＥおよび基地局の両方が、反復のためのＴＯ内の残りの利用可能なリソースに従って、新しい変調順を計算し、ユーザが、コードレートおよび新しい変調順に従って、アップリンクデータ伝送を実施し、基地局が、コードレートおよび新しい変調順に従って、データ復調を実施する。すなわち、端末は、新しい変調順を報告しない。
【０１０６】
（第６の実施形態）
【０１０７】
本実施形態は、反復伝送方法を提供する。本実施形態において、新しいＤＣＩが、リソースを使用する方法を示すために導入される。新しいＤＣＩの機能は、ＵＬグラントフリー伝送のために構成されるいくつかのパラメータをリセットすることである。ＤＣＩを受信すると、ＵＥは、示されたＴＯの伝送パラメータを単に変更し、元の様式（半静的構成）で示されていないＴＯの伝送を継続する。新しいＤＣＩは、そのＤＣＩを許可されたデータ伝送のために使用される他のＤＣＩおよびアクティブ化またはアクティブ化解除のために使用される他のＤＣＩから区別するために、新しいＲＮＴＩでスクランブルされる必要がある。ＵＬグラントフリー伝送のために構成され、新しいＤＣＩを通して再構成されるパラメータは、以下のパラメータうちの少なくとも１つを含む：時間ドメインリソース、周波数ドメインリソース、ＲＲＣを介して構成された反復伝送の数Ｋ、ＴＯインデックス、ＭＣＳ、または再構成されたパラメータが効果を生じる時間、または再構成されたパラメータが効果を生じる回数を含む。
【０１０８】
具体的に、新しいＤＣＩに従って、ＴＯの指示が、下記の様式のうちのいずれか１つで実施され得る。
【０１０９】
（１）ＲＲＣを介して構成された反復伝送の数Ｋは、新しく導入されるＤＣＩを通してリセットされることを可能にされない。現在のフレーム構造に従って、基地局は、ＵＬグラントフリー伝送がフレーム構造と衝突するＴＯのインデックス、時間周波数ドメインリソース、およびＵＬグラントフリー伝送がフレーム構造と衝突するＴＯのＭＣＳをＵＥに示し、ＵＥは、ＤＣＩ内の指示情報に従って、対応するＴＯを伝送する。ＤＣＩを通して再構成されるパラメータが効果を生じる時間は、１ビットを通して示され得、０は、ＤＣＩを通してリセットされるパラメータが、単に、（この再構成の時間のために）１回効果を生じることを意味し、１は、ＤＣＩを通してリセットされるパラメータが、基地局がＵＥのためのＵＬグラントフリーリソースを再構成するまで、またはＳＦＩが再び変化するまで、複数回効果を生じることを意味する。
【０１１０】
随意に、周波数ドメインリソースの指示のオーバーヘッドを考慮すると、ＤＣＩは、周波数ドメインリソース指示フィールドを含まないこともあり、すなわち、周波数ドメインリソースは、リセットされず、周波数ドメインリソースのサイズは、依然として、ＤＣＩを通した再構成の前のそれに従って構成される。
【０１１１】
（２）ＲＲＣを介して構成された反復伝送の数Ｋは、新しく導入されるＤＣＩを通して再構成されることを可能にされる。ＤＣＩは、反復伝送の新しい数Ｋおよび伝送の数に対応するＴＯのインデックスを示し、時間周波数ドメインリソースおよび対応するＴＯインデックスに関するＭＣＳを示す必要があり、ＵＥは、ＤＣＩ内の指示情報に従って、対応するＴＯを伝送する。ＤＣＩを通して再構成されるパラメータが効果を生じる時間は、１ビットを通して示され得、０は、ＤＣＩを通してリセットされるパラメータが、単に、（この再構成の時間のために）１回効果を生じることを意味し、１は、ＤＣＩを通してリセットされるパラメータが、基地局がＵＥのためのＵＬグラントフリーリソースを再構成するまで、またはＳＦＩが再び変化するまで、複数回効果を生じることを意味する。
【０１１２】
随意に、周波数ドメインリソースの指示のオーバーヘッドを考慮すると、ＤＣＩは、周波数ドメインリソース指示フィールドを含まないこともあり、すなわち、周波数ドメインリソースは、再構成されず、周波数ドメインリソースのサイズは、依然として、ＤＣＩを通した再構成の前のそれに従って構成される。
【０１１３】
（第７の実施形態）
【０１１４】
本実施形態は、反復伝送方法を提供する。ＵＬグラントフリー伝送において、信頼性を改良するために、ｇＮＢが、トラフィックパケットのための複数の反復伝送を構成するであろう。ＵＥが反復伝送を実施するとき、ある反復が動的ＳＦＩと衝突し、反復のためのＴＯ内のシンボルの全てが動的ＳＦＩと衝突するわけではない場合、ＵＥは、反復伝送を破棄せず、衝突する対応するシンボルを単に削除し、衝突しないシンボル上のデータを伝送する。
【０１１５】
さらに、基地局は、シンボル上の利用可能なリソース、またはグラントフリー伝送期間内の最後のＴＯが位置する時間ドメイン位置より後ろのスロットを使用することによって、衝突に起因して削除されるＵＬデータを再伝送する。
【０１１６】
（第８の実施形態）
【０１１７】
本実施形態は、反復伝送方法を提供する。あるＴＯが位置する時間ドメイン位置における１つのシンボルの伝送方向が半静的ＳＦＩと衝突する限り、そのＴＯは、反復の数の中に計数されず、基地局は、そのＴＯを構成することを遅延させるであろう。
【０１１８】
しかしながら、ＵＲＬＬＣ等の厳密な遅延要件を伴うトラフィックは、ＴＢの着信から反復送信の全ての時間の終了までの持続時間が１ミリ秒の遅延を超え得ないことを要求する。ＴＯを送信することにおける遅延に関して、端末は、下記の様式で、遅延が超過されることなく、複数回の反復送信を完了し得る。
【０１１９】
基地局は、ＲＲＣシグナリングを介して時間窓Ｔを構成し、端末は、時間窓Ｔに従って、ＴＯの実用的な伝送および回数を決定する。
【０１２０】
随意に、図９に示されるように、Ｔのサイズは、動的スケジューリングに関するＤＣＩが位置するＣＯＲＥＳＥＴの最後のシンボルが端末によって検出されたときから、サポートされ得る反復の実際の最大数に対応するデータ送信の時間ドメイン持続時間までの時間間隔ｔ２を指す。ｔ２と、端末および基地局の処理時間ｔ１＋ｔ３との総和は、例えば、１ミリ秒の遅延要件を超えない。
【０１２１】
さらに、端末がＴＯ＃ｎまでの持続時間がｔ２以下であることを決定する場合、端末は、ＴＯ＃ｎでアップリンクデータを送信し得る。端末がＴＯ＃ｎまでの持続時間がｔ２を上回ることを決定する場合、端末は、ＴＯ＃ｎでアップリンクデータを送信しないこともある。
【０１２２】
随意に、ＴＯ＃ｎに関して、ｎは、［１，Ｋ］のうちのいずれか１つ以上のものであり得る。Ｋは、上位層によって構成され、ＤＣＩを通して通知される反復の数である。
【０１２３】
図９は、１ミリ秒の遅延が複数の期間に分割されることを図式的に示す。図９において、ｔ１＋ｔ２＋ｔ３は、１ミリ秒の遅延に等しく、ｔ１は、端末がアップリンクデータを処理し、サブフレームを整列させ、ＳＲを送信し、基地局がＳＲを処理するための合計時間であり、ｔ２は、端末が、ＤＣＩが位置するＣＯＲＥＳＥＴの最後のシンボルを検出し、ＤＣＩを復調し、ＰＵＳＣＨを準備し、ＰＵＳＣＨを反復して送信する時間ドメイン持続時間の合計時間であり、ｔ３は、基地局がＰＵＳＣＨデータを復調し、確認応答（ＡＣＫ）または否定確認応答（ＮＡＣＫ）を決定するための合計時間である。
【０１２４】
ＤＣＩを通してスケジュールされるＰＵＳＣＨの集約伝送に関して、ＲＲＣまたはＤＣＩは、反復送信の回数Ｋが４であることを通知する。図１０に示されるように、４つのＴＯの時間ドメイン位置は、同じスロット内に配分されない。スロットｎ＋１上のシンボル＃０および＃１の伝送方向がＤであるので、ＴＯ＃４は、シンボル＃２および＃３上に構成される。
【０１２５】
図９に示される遅延を図示する概略図と併せて、端末は、ｔ２のサイズに従って、図１０内のＴＯ＃４でのＰＵＳＣＨの送信がｔ２を超えるであろうことを決定する。したがって、端末は、ＴＯ＃４でＰＵＳＣＨの第４の反復を送信しないであろう。
【０１２６】
代替として、端末は、図１０内のＴＯ＃４でのＰＵＳＣＨの送信がｔ２の閾値を超えないであろうことを決定し、したがって、端末は、ＴＯ＃４でＰＵＳＣＨの第４の反復を送信するであろう。
【０１２７】
ＰＵＳＣＨが単に反復して３回送信可能であるにすぎないことを端末が最終的に決定すると仮定すると、上で述べられる「サポートされ得る反復の実際の最大数に対応するデータ送信の時間ドメイン持続時間」は、ＴＯ＃１での送信の最初の時間から反復送信が終了するＴＯ＃３までの実用的な３回の反復データ送信の時間ドメイン持続時間を指す。
【０１２８】
（第９の実施形態）
【０１２９】
図１１に示されるような、ＰＵＳＣＨのアップリンクグラントフリー反復伝送に関して、Ｔのサイズは、端末がＰＵＳＣＨの第１の伝送を実施するときから、サポートされ得る反復の実際の最大数に対応するデータ送信の時間ドメイン持続時間までの時間間隔ｔ２を指す。ｔ２と処理時間端末および基地局のｔ１＋ｔ３との総和は、例えば、１ミリ秒の遅延要件を超えない。
【０１３０】
図１１は、１ミリ秒の遅延が複数の期間に分割されることを図式的に示す。図１１において、ｔ１＋ｔ２＋ｔ３は、１ミリ秒の遅延に等しく、ｔ１は、端末がアップリンクデータを処理し、サブフレームを整列させるための合計時間であり、ｔ２は、端末がＰＵＳＣＨを反復して送信する時間ドメイン持続時間であり、ｔ３は、基地局がＰＵＳＣＨデータを復調し、ＡＣＫ／ＮＡＣＫを決定するための合計時間である。
【０１３１】
ＰＵＳＣＨのグラントフリー反復伝送に関して、ＲＲＣまたはＤＣＩは、反復送信の回数Ｋが４であることを通知する。図１２に示されるように、４つのＴＯの時間ドメイン位置は、同じスロット内に配分されない。動的ＳＦＩが、スロットｎ＋１上のシンボル＃０および＃１の伝送方向がＤおよびＦであることを示すので、ＴＯ＃３は、シンボル＃２および＃３上に構成され、ＴＯ＃４は、シンボル＃４および＃５上に構成される。
【０１３２】
図１１に示される遅延を図示する概略図と併せて、端末は、ｔ２のサイズに従って、図１２内のＴＯ＃３およびＴＯ＃４でのＰＵＳＣＨの送信がｔ２を超えるであろうことを決定する。したがって、端末は、ＴＯ＃３およびＴＯ＃４でＰＵＳＣＨの第４の反復を送信しないであろう。
【０１３３】
代替として、端末は、図１２内のＴＯ＃３およびＴＯ＃４でのＰＵＳＣＨの送信がｔ２の閾値を超えないであろうことを決定し、したがって、端末は、ＴＯ＃３およびＴＯ＃４でＰＵＳＣＨの第４の反復を送信するであろう。
【０１３４】
ＰＵＳＣＨが、単に反復して２回送信可能でしかないことを端末が最終的に決定すると仮定すると、上で述べられる「サポートされ得る反復の実際の最大数に対応するデータ送信の時間ドメイン持続時間」は、ＴＯ＃１での送信の最初の時間から反復送信が終了するＴＯ＃２までの実用的な２回の反復データ送信の時間ドメイン持続時間を指す。
【０１３５】
（第１０の実施形態）
【０１３６】
本実施形態は、反復伝送方法を提供する。ＴＯを送信することにおける遅延に関して、端末は、下記の様式で、遅延が超過されることなく、複数回の反復送信を完了し得る。
【０１３７】
基地局は、端末に反復の実際の数を通知する。
【０１３８】
基地局は、端末に時間窓ｔ２のサイズを通知しない。基地局自体は、遅延の標的値、例えば、１ミリ秒を超えないｔ１＋ｔ２＋ｔ３に従って、ＴＯ＃ｎがＰＵＳＣＨデータを送信するために使用されることができず、そうでなければ、ｔ２の閾値が超過されるであろうことを決定する。したがって、基地局は、ＤＣＩを通して、端末に反復の実際の数を通知する。
【０１３９】
随意に、基地局は、ＤＣＩを通して、端末に反復の実際の数を通知する。
【０１４０】
随意に、ＴＯ＃ｎに関して、ｎは、［１，Ｋ］のうちのいずれか１つ以上のものであり得る。Ｋは、上位層によって構成される反復の数である。
【０１４１】
（第１１の実施形態）
【０１４２】
本実施形態は、反復伝送方法を提供する。上記の複数の実施形態において、ＴＯを送信可能な後の時間ドメインシンボルに関して、これらのシンボルの伝送方向は、単に、ＦまたはＵであり得る。さらに、これらのシンボルは、ＰＤＣＣＨブラインド検出期間および半静的ダウンリンクトラフィック伝送と衝突しないであろう。半静的フレーム構造が、遅延ＴＯが位置する第１のシンボルの伝送方向がＦであり、シンボルがＤシンボルの直後に位置することを示すとき、ＰＵＳＣＨがＦシンボル上で伝送可能かどうかが、明確にされる必要がある。可能な様式が、下で説明される。
【０１４３】
（１）Ｆシンボルは、アップリンクデータを伝送するために使用されることができない。
【０１４４】
半静的フレーム構造のシグナリングが、シンボルの方向がＦであり、そのシンボルがＤシンボルの直後に位置することを示すとき、そのシンボルは、アップリンクデータを伝送するために使用されることができない。図１３に示されるように、ＴＯ＃４は、単に、方向Ｆを有するシンボル＃３に対応する時間ドメイン位置からＰＵＳＣＨを送信することができる。
【０１４５】
（２）隣接Ｄシンボルが、ＤＣＩ／ＰＤＳＣＨ／ＰＤＣＣＨを送信するために使用されるとき、Ｆシンボルは、アップリンクデータを伝送するために使用されることができない。Ｄシンボルが、ＤＣＩを送信するために使用されないが、例えば、ＲＳが、ＤＭＲＳ、ＣＳＩ−ＲＳ、ＰＴＲＳ等を含み得る基準信号（ＲＳ）、ＰＳＳ／ＳＳＳ、またはダウンリンクデータを送信するために使用されるとき、Ｆシンボルが、アップリンクデータを伝送するために使用されることができる。
【０１４６】
（第１２実施形態）
【０１４７】
本実施形態は、反復伝送方法を提供する。図１４を参照すると、反復伝送方法は、Ｓ１４１と、Ｓ１４２とを含む。
【０１４８】
Ｓ１４１において、アップリンクデータの反復伝送のタイプが、第１の伝送タイプであるか、第２の伝送タイプであるかが、決定される。第１の伝送タイプは、複数のスロットによる反復して伝送されるアップリンクデータであり、第２の伝送タイプは、１つのスロット内の複数のミニスロットによる反復して伝送されるアップリンクデータである。
【０１４９】
Ｓ１４２において、アップリンクデータが、アップリンクデータの反復伝送の決定されたタイプに従って、反復して伝送される。
【０１５０】
いくつかの実施形態において、反復して伝送されるアップリンクデータのタイプを第１の伝送タイプまたは第２の伝送タイプであると示すステップは、下で説明されるステップを含み得る。
【０１５１】
指示が、上位層ＲＲＣシグナリングまたは物理層ＤＣＩシグナリングを通して実施される。
【０１５２】
いくつかの実施形態において、反復して伝送されるアップリンクデータのタイプを第１の伝送タイプまたは第２の伝送タイプであると示すステップは、下で説明されるステップを含み得る。
【０１５３】
第１の伝送タイプおよび第２の伝送タイプは、ＤＭＲＳシーケンス＋直交カバーコード（ＯＣＣ）またはＤＭＲＳシーケンス＋ＣＳインデックスに従って区別される。
【０１５４】
いくつかの実施形態において、反復して伝送されるアップリンクデータのタイプを第１の伝送タイプまたは第２の伝送タイプであると示すステップは、下で説明されるステップを含み得る。
【０１５５】
第１の伝送タイプおよび第２の伝送タイプは、異なる無線ネットワーク一時識別子（ＲＮＴＩ）に従って区別される。
【０１５６】
現在、リリース１５（Ｒ１５）、すなわち、５Ｇの第１段階が、動的スケジューリングおよびグラントフリースロットベースの反復に基づくスロットベースの集約を導入している。具体的に、それは、端末が複数のスロットの使用によってＴＢを反復して送信し、ＴＢが各スロット上で同じ時間ドメインリソースを配分されることを意味する。遅延および信頼性の側面において、動的スケジューリングおよびアップリンクグラントフリー反復伝送に基づく集約伝送の強化をサポートするために、リリース１６（Ｒ１６）、すなわち、５Ｇの第２段階が、ミニスロットベースの集約または反復を導入する必要がある。例えば、端末は、１つのスロット内の時間ドメイン内で連続する複数のミニスロット上でＴＢを反復して送信し、各ミニスロットは、同じ時間ドメイン持続時間を有する。本願において、複数のスロットに基づくＴＢの反復送信の伝送ソリューションは、第１の伝送タイプと称され、１つのスロット内の複数のミニスロットに基づくＴＢの集約および反復送信の伝送ソリューションは、第２の伝送タイプと称される。
【０１５７】
５Ｇ  Ｒ１５における時間ドメイン通知様式に従って、基地局によって構成される反復の数がＫであると仮定される。基地局は、単に、第１のＴＯの時間ドメイン開始位置および時間ドメイン持続時間を通知する。しかしながら、端末は、残りの（Ｋ−１）個のＴＯの時間ドメイン位置が、第１の伝送タイプに従って連続した（Ｋ−１）個のスロット上に構成されるか、または、第２の伝送タイプに従って連続した（Ｋ−１）個のミニスロット上に構成されるかを把握していない。したがって、ＤＣＩ動的スケジューリングまたはグラントフリー伝送にかかわらず、以下のソリューションが、この問題を解決するために提供される。
【０１５８】
ソリューション１：指示が、上位層ＲＲＣシグナリングまたは物理層ＤＣＩシグナリングを通して実施される。１ビットが、第１の伝送タイプまたは第２の伝送タイプを端末に示すために導入される。例えば、０は、第１の伝送タイプを表し、１は、第２の伝送タイプを表す。
【０１５９】
ソリューション２：それらは、ＤＭＲＳシーケンス＋ＯＣＣまたはＤＭＲＳシーケンス＋ＣＳインデックスに従って、区別される。例えば、ある端末に関して、基地局によって端末に配分されるＤＭＲＳシーケンスの循環シフト（ＣＳ）１は、第１の伝送タイプを表し、基地局によって端末に配分されるＤＭＲＳシーケンスのＣＳ６（単に異なる）は、第２の伝送タイプを表す。
【０１６０】
ソリューション３：それらは、異なる無線ネットワーク一時識別子（ＲＮＴＩ）に従って、区別される。例えば、ＰＵＳＣＨの動的にスケジュールされた反復伝送に関して、Ｃ−ＲＮＴＩ１は、第１の伝送タイプを表し、Ｃ−ＲＮＴＩ２は、第２の伝送タイプを表す。ＰＵＳＣＨのグラントフリー反復伝送に関して、ＣＳ−ＲＮＴＩ１は、第１の伝送タイプを表し、ＣＳ−ＲＮＴＩ２は、第２の伝送タイプを表す。
【０１６１】
（第１３の実施形態）
【０１６２】
本実施形態は、反復伝送装置を提供する。図１５を参照すると、反復伝送装置は、第１の伝送決定モジュール１５１と、第１の伝送モジュール１５２とを含む。
【０１６３】
第１の伝送決定モジュール１５１は、反復して伝送されるべきアップリンクデータのための複数のＴＯを決定するように構成される。
【０１６４】
第１の伝送モジュール１５２は、反復して伝送されるべきアップリンクデータのための複数のＴＯの中の少なくとも１つのＴＯがスロット構成の伝送方向と対立しないとき、ＴＯでアップリンクデータを反復して伝送するように構成される。
【０１６５】
いくつかの実施形態において、アップリンクデータがＴＯで反復して伝送されるステップは、下で説明されるステップを含み得る。
【０１６６】
アップリンクデータは、スロット構成の伝送方向と対立しない時間ドメイン内の最も早いＴＯから反復して伝送される。スロット構成の伝送方向は、アップリンクシンボルＵと、ダウンリンクシンボルＤと、フレキシブルに構成されるシンボルＦとを含み得る。アップリンクデータが本開示の実施形態において反復して伝送されるために、アップリンクデータと合致させられる伝送方向は、Ｕであり、すなわち、スロット構成の伝送方向がＵであるとき、アップリンクデータのＴＯは、スロット構成の伝送方向と対立せず、スロット構成の伝送方向がＤである場合、ＴＯは、それと確実に対立し、スロット構成の伝送方向がＦである場合、対立があるかどうかが、現在の伝送状況に従って決定される。
【０１６７】
いくつかの実施形態において、反復して伝送されるべきアップリンクデータが、スロット構成の伝送方向と対立しない時間ドメイン内の最も早いＴＯから伝送されるステップは、下で説明されるステップを含み得る。
【０１６８】
反復して伝送されるべきアップリンクデータに関して、０の冗長性バージョン（ＲＶ）インデックスを伴うアップリンクデータが、時間ドメイン内の最も早いＴＯから反復して伝送される。概して、アップリンクデータを伝送し得る最も早いＴＯに対応するＲＶインデックスは、０であり、それは、基地局と端末との間の合意に従い、そのルールに準拠する。反復して伝送されるべき同じアップリンクデータが、０のＲＶインデックスを伴う２つ以上のアップリンクデータを含むとき、０の第１のＲＶインデックスまたは０の任意のＲＶインデックスが、参照とされ得る。
【０１６９】
代替として、反復して伝送されるべきアップリンクデータに関して、時間ドメイン内の最も早いＴＯに対応するアップリンクデータが、時間ドメイン内の最も早いＴＯから反復して伝送される。ＲＶ＝０の参照に加えて、対立しない時間ドメイン内の最も早いＴＯに対応するアップリンクデータは、時間ドメイン内の最も早いＴＯから伝送され始め得る。この場合、伝送され始めるアップリンクデータのＲＶインデックスは、０ではないこともある。
【０１７０】
いくつかの実施形態において、スロット構成の伝送方向と対立しない時間ドメイン内の最も早いＴＯは、以下のＴＯを含む：複数のＴＯの中で、時間ドメインシンボルのうち、いずれもスロット構成の伝送方向と対立しない時間ドメイン内の最も早いＴＯであり、これは、時間ドメイン内の最も早いＴＯに関して、ＴＯ内の時間ドメインシンボルのうちのいずれもスロット構成の伝送方向と対立しないことを意味し、ＴＯが２つの時間ドメインシンボルを含む場合、２つの時間ドメインシンボルのうちのいずれも、スロット構成の伝送方向と対立せず、例えば、スロット構成の対応する伝送方向は、ＵＵまたはＦＵであるＴＯ：または、複数のＴＯの中で、少なくとも１つの時間ドメインシンボルがスロット構成の伝送方向と対立しない時間ドメイン内の最も早いＴＯ。この場合、時間ドメイン内の最も早いＴＯは、ＴＯ内の時間ドメインシンボルのうちの１つが対立しない限り、ＴＯは、対立しない時間ドメイン内の最も早いＴＯと見なされ得ることを意味する。
【０１７１】
いくつかの実施形態において、スロット構成は、下記の様式のうちの少なくとも１つにおいて取得され得る。
【０１７２】
スロット構成は、ＤＣＩによって示される。
【０１７３】
スロット構成は、ＲＲＣを介して示される。
【０１７４】
いくつかの実施形態において、アップリンクデータがＴＯで反復して伝送されるステップは、ＴＯ内の少なくとも１つの時間ドメインシンボルがスロット構成の伝送方向と対立しないとき、レートマッチングが、ＴＯ内の対立していない時間ドメインシンボルに実施されることを含み得る。ＴＯ内の少なくとも１つの時間ドメインシンボルがスロット構成の伝送方向と対立せず、他のシンボルが対立し得るので、アップリンクデータの正常な伝送を確実にするために、レートマッチングが、ＴＯ内の対立していない時間ドメインシンボルに実施される。
【０１７５】
いくつかの実施形態において、レートマッチングがＴＯ内の対立していない時間ドメインシンボルに実施されるステップは、下で説明されるステップを含み得る。
【０１７６】
ＲＲＣを介して構成されるＭＣＳパラメータにおける変調順が、不変で維持され、新しいコードレートが、ＴＯ内の残りの利用可能なリソースに従って計算され、レートマッチングが、新しいコードレートに従って実施される。
【０１７７】
代替として、新しい変調順およびコードレートが、アップリンク伝送のために計算され、計算された変調順についての情報が、基地局に報告され、コードレートが、ＴＯ内の変調順および残りの利用可能なリソースに従って計算される。
【０１７８】
代替として、新しい変調順が、利用可能なリソースに従って計算され、アップリンクデータが、コードレートおよび新しい変調順に従って直接送信される。
【０１７９】
いくつかの実施形態において、アップリンクデータがＴＯで反復して伝送されるステップは、下で説明されるステップをさらに含み得る。
【０１８０】
ＤＣＩが、ＴＯの使用状況を示すように検出される。ＤＣＩは、基地局側のアップリンクデータの反復伝送のための新しく追加された手段であり、端末は、ＤＣＩを検出することによって、現在のＴＯの使用状況を決定し得る。いくつかの実施形態において、ＤＣＩがＴＯの使用状況を示すように検出されるステップは、下で説明されるステップを含む。
【０１８１】
ＤＣＩは、アップリンクグラントフリー伝送のために構成された関連性のあるパラメータを入手するために検出される。
【０１８２】
示されたＴＯの伝送パラメータが、調節され、アップリンクデータが、調節されたＴＯに従って反復して伝送される。
【０１８３】
いくつかの実施形態において、アップリンクグラントフリー伝送のために構成された関連性のあるパラメータは、時間ドメインリソース、周波数ドメインリソース、ＲＲＣを介して構成された反復伝送の数Ｋ、ＴＯインデックス、ＭＣＳ、または再構成されたパラメータが効果を生じる時間、または再構成されたパラメータが効果を生じる回数のうちの少なくとも１つを含み得る。
【０１８４】
いくつかの実施形態において、アップリンクデータがＴＯで反復して伝送されるステップは、時間ドメインシンボルがスロット構成の伝送方向と対立するＴＯをアップリンクデータの反復伝送の数の中に計数せず、後に構成されたＴＯでアップリンクデータの反復伝送を継続することをさらに含み得る。これは、アップリンクデータが、対立するＴＯで伝送されず、対立しないＴＯが、伝送のために後の時間ドメインシンボル上で直接構成されることを意味する。
【０１８５】
いくつかの実施形態において、アップリンクデータがＴＯで反復して伝送されるステップは、事前構成された冗長ＴＯで、時間ドメインシンボルがスロット構成の伝送方向と対立するＴＯに対応するアップリンクデータを反復して伝送することをさらに含む。これは、基地局が端末のためのＴＯを構成するとき、端末によって要求される反復の数が、アップリンク信号の反復伝送をフレキシブルに調節するように、ある冗長構成量だけ直接加算されることを意味する。例えば、端末によって要求される反復伝送の数が４であるとき、端末のために基地局によって構成されるＴＯの数は、５であり得、それによって、最初の４つのＴＯのうちの１つが対立するとき、冗長ＴＯが、アップリンクデータを反復して送信するための４つの利用可能なＴＯを構成し得る。
【０１８６】
いくつかの実施形態において、アップリンクデータがＴＯで反復して伝送されるステップは、スロット構成の伝送方向と対立しない事前構成されたＴＯでアップリンクデータを反復して伝送することをさらに含む。これは、ＴＯが、事前構成様式で直接構成され、スロット構成の伝送方向と対立するであろう時間ドメインシンボが、スキップされ、ＴＯが、対立しない時間ドメインシンボル上で直接構成されることを意味する。
【０１８７】
いくつかの実施形態において、時間窓を入手し、時間窓を通して遅延ＴＯでアップリンクデータを送信する状況を決定することが、さらに含まれる。時間窓は、遅延を確実にするために設定される。５Ｇトラフィックの中のＵＲＬＬＣは、高い遅延要件を有する。対立するＴＯに対応するアップリンクデータが、全て遅延している場合、遅延要件は、満たされてないこともあり、ＵＲＬＬＣトラフィックの問題をもたらす。したがって、時間窓は、アップリンクデータの反復伝送の数が予想を超えるかどうかを監視するために設定される。
【０１８８】
いくつかの実施形態において、時間窓と端末および基地局の処理時間との総和は、第１の事前設定された閾値以下である。第１の事前設定された閾値は、異なるトラフィックの遅延要件に従って変動する。例えば、ＵＲＬＬＣトラフィックに関して、第１の事前設定された閾値のサイズは、１ミリ秒であり得る。当然ながら、本実施形態は、第１の事前設定された閾値の可能な例を提供するにすぎない。当業者は、第１の事前設定された閾値が、対応するトラフィックタイプのための合理的な持続時間であり得、本実施形態に限定されないことを理解するはずである。
【０１８９】
いくつかの実施形態において、時間窓を通して遅延ＴＯでアップリンクデータを送信する状況を決定することは、下で説明されるステップを含む。
【０１９０】
反復して伝送されるべきアップリンクデータに関して、第１の伝送から遅延ＴＯまでの持続時間が、時間窓と比較され、持続時間が時間窓以下であるとき、アップリンクデータは、遅延ＴＯで送信され得る。
【０１９１】
代替として、反復して伝送されるべきアップリンクデータに関して、ＤＣＩが位置している制御リソースセットＣＯＲＥＳＥＴの最後のシンボルが検出されるときから遅延ＴＯまでの持続時間が、時間窓と比較され、持続時間が時間窓以下であるとき、アップリンクデータは、遅延ＴＯで送信され得る。
【０１９２】
いくつかの実施形態において、アップリンクデータがＴＯで反復して伝送されるステップは、下で説明されるステップをさらに含み得る。
【０１９３】
アップリンクデータの反復の実際の数が、基地局からの指示に従って決定される。この場合、基地局からの指示は、反復伝送の数を決定するために直接受信される。例えば、基地局は、アップリンクデータの遅延に従って、反復伝送の数を２であると決定し、次いで、端末側は、対立しないＴＯで２回、アップリンクデータを反復して伝送する。数が４に設定される場合でさえも、基地局によって示される２回の反復伝送が、依然として、実施される。
【０１９４】
いくつかの実施形態において、アップリンクデータの反復の実際の数が基地局からの指示に従って決定されるステップは、下で説明されるステップを含み得る。
【０１９５】
遅延の標的値に従って、アップリンクデータが各ＴＯで送信されることが可能であるかどうかが決定され、反復の実際の数が、決定される。
【０１９６】
いくつかの実施形態において、スロット構成の伝送方向は、ダウンリンクシンボルＤと、アップリンクシンボルＵと、フレキシブルに構成されるシンボルＦとを含み、スロット構成の伝送方向が、Ｎ個の連続したＦシンボルを示し、Ｎ個の連続したＦシンボルの前の隣接シンボルの伝送方向がＤであるとき、アップリンクデータは、Ｎ個の連続したＦシンボルの中のＭ番目のＦに対応する時間ドメインシンボルから反復して伝送され、Ｍ≦Ｎであり、Ｎ個の連続したＦシンボルの中の最初の（Ｍ−１）個のＦシンボルは、保護期間としての役割を果たす。ダウンリンクデータが、Ｄシンボル内で、異なるタイプのダウンリンクデータに従って送信されるので、ダウンリンクデータが占有する傾向がある処理持続時間は、ダウンリンクデータのための時間ドメインシンボルのみならず、遅れたある期間も含み得、Ｆは、アップリンクデータを送信するために好適ではない。ダウンリンクデータ処理を確実にするために、Ｎ個の連続したＦシンボルの中のＭ番目のＦは、アップリンクデータを伝送するためのＴＯとしての役割を果たし、最初の（Ｍ−１）個のＦシンボルは、ダウンリンクデータのための保護期間としての役割を果たし得る。
【０１９７】
いくつかの実施形態において、Ｄシンボルに対応する時間ドメインシンボル上で伝送されるダウンリンクデータを処理するために要求される持続時間が、第２の事前設定された閾値以上のとき、Ｍ＜Ｎである。
【０１９８】
本実施形態は、反復伝送装置を提供する。反復して伝送されるべきアップリンクデータのための複数の伝送機会（ＴＯ）が、決定され、反復して伝送されるべきアップリンクデータのための複数のＴＯの中の少なくとも１つのＴＯが、スロット構成の伝送方向と対立しないとき、アップリンクデータは、ＴＯで反復して伝送され、それによって、アップリンクデータの反復伝送を実装し、反復して伝送されるべきアップリンクデータが対立の場合に直接破棄されることを防止し、ネットワークリソースを節約し、ユーザ体験を確実にする。
【０１９９】
（第１４の実施形態）
【０２００】
本実施形態は、反復伝送装置を提供する。図１６を参照すると、反復伝送装置は、第２の伝送決定モジュール１６１と、伝送受信モジュール１６２とを含む。
【０２０１】
第２の伝送決定モジュール１６１は、反復して伝送されるべきアップリンクデータのための複数のＴＯを決定するように構成される。
【０２０２】
伝送受信モジュール１６２は、反復して伝送されるべきアップリンクデータのための複数のＴＯの中の少なくとも１つのＴＯが、スロット構成の伝送方向と対立しないとき、ＴＯで反復して伝送されるアップリンクデータを受信するように構成される。
【０２０３】
いくつかの実施形態において、反復して伝送されるアップリンクデータがＴＯで受信されるステップは、ＴＯ内の少なくとも１つの時間ドメインシンボルが、スロット構成の伝送方向と対立するとき、レートマッチングがＴＯ内の対立していない時間ドメインシンボルに実施されることを含む。
【０２０４】
いくつかの実施形態において、レートマッチングがＴＯ内の対立していない時間ドメインシンボルに実施されるステップは、ＲＲＣを介してＭＣＳパラメータにおける変調順をそのままで維持し、ＴＯ内の残りの利用可能なリソースに従って、新しいコードレートを計算し、新しいコードレートに従って、レートマッチングを実施することを含む。
【０２０５】
いくつかの実施形態において、反復して伝送されるアップリンクデータがＴＯで受信されるステップは、下で説明されるステップを含む。
【０２０６】
ＤＣＩは、ＴＯの使用状況を端末に示すように構成される。
【０２０７】
いくつかの実施形態において、ＤＣＩがＴＯの使用状況を端末に示すように構成されるステップは、下で説明されるステップを含む。
【０２０８】
アップリンクグラントフリー伝送のために構成された関連性のあるパラメータが、ＤＣＩを通して再構成される。
【０２０９】
いくつかの実施形態において、反復して伝送されるアップリンクデータがＴＯを通して受信されるステップは、下で説明されるステップを含む。
【０２１０】
端末は、アップリンクデータの反復伝送の実際の数を通知される。
【０２１１】
いくつかの実施形態において、端末がアップリンクデータの反復伝送の実際の数を通知されるステップは、下で説明されるステップを含む。
【０２１２】
遅延の標的値に従って、アップリンクデータが各ＴＯで送信されることが可能であるかどうかが決定され、反復の実際の数が、決定される。
【０２１３】
（第１５の実施形態）
【０２１４】
本実施形態は、反復伝送装置を提供する。図１７を参照すると、反復伝送装置は、タイプ決定モジュール１７１と、第２の伝送モジュール１７２とを含む。
【０２１５】
タイプ決定モジュール１７１は、アップリンクデータの反復伝送のタイプが、第１の伝送タイプであるか、第２の伝送タイプであるかを決定するように構成される。第１の伝送タイプは、複数のスロットによる反復して伝送されるアップリンクデータであり、第２の伝送タイプは、１つのスロット内の複数のミニスロットによる反復して伝送されるアップリンクデータである。
【０２１６】
第２の伝送モジュール１７２は、アップリンクデータの反復伝送の決定されたタイプに従って、アップリンクデータを反復して伝送するように構成される。
【０２１７】
いくつかの実施形態において、反復して伝送されるアップリンクデータのタイプを第１の伝送タイプまたは第２の伝送タイプであると示すステップは、下で説明されるステップを含み得る。
【０２１８】
指示が、上位層ＲＲＣシグナリングまたは物理層ＤＣＩシグナリングを通して実施される。
【０２１９】
いくつかの実施形態において、反復して伝送されるアップリンクデータのタイプを第１の伝送タイプまたは第２の伝送タイプであると示すステップは、下で説明されるステップを含み得る。
【０２２０】
第１の伝送タイプおよび第２の伝送タイプは、ＤＭＲＳシーケンス＋ＯＣＣ、またはＤＭＲＳシーケンス＋ＣＳインデックスに従って区別される。
【０２２１】
いくつかの実施形態において、反復して伝送されるアップリンクデータのタイプを第１の伝送タイプまたは第２の伝送タイプであると示すステップは、下で説明されるステップを含み得る。
【０２２２】
第１の伝送タイプおよび第２の伝送タイプは、異なる無線ネットワーク一時識別子（ＲＮＴＩ）に従って区別される。
【０２２３】
現在、リリース１５（Ｒ１５）、すなわち、５Ｇの第１段階が、動的スケジューリングおよびグラントフリースロットベースの反復によるスロットベースの集約を導入している。具体的に、それは、端末が複数のスロットの使用によってＴＢを反復して送信し、ＴＢが各スロット上で同じ時間ドメインリソースを配分されることを意味する。遅延および信頼性の側面において、動的スケジューリングによる集約伝送およびアップリンクグラントフリー反復伝送の強化をサポートするために、リリース１６（Ｒ１６）、すなわち、５Ｇの第２段階が、ミニスロットベースの集約または反復を導入する必要がある。例えば、端末は、１つのスロット内の時間ドメイン内で連続する複数のミニスロット上でＴＢを反復して送信し、各ミニスロットは、同じ時間ドメイン持続時間を有する。本願において、複数のスロットによるＴＢの反復送信の伝送ソリューションは、第１の伝送タイプと称され、１つのスロット内の複数のミニスロットによるＴＢの集約および反復送信の伝送ソリューションは、第２の伝送タイプと称される。
【０２２４】
５Ｇ  Ｒ１５における時間ドメイン通知様式に従って、基地局によって構成される反復の数がＫであると仮定される。基地局は、第１のＴＯの時間ドメイン開始位置および時間ドメイン持続時間を単に通知するにすぎない。しかしながら、端末は、残りの（Ｋ−１）個のＴＯの時間ドメイン位置が、第１の伝送タイプに従って連続した（Ｋ−１）個のスロット上に構成されるか、または第２の伝送タイプに従って連続した（Ｋ−１）個のミニスロット上に構成されるかを把握していない。したがって、ＤＣＩ動的スケジューリングまたはグラントフリー伝送にかかわらず、以下のソリューションが、この問題を解決するために提供される。
【０２２５】
ソリューション１：指示が、上位層ＲＲＣシグナリングまたは物理層ＤＣＩシグナリングを通して実施される。１ビットが、第１の伝送タイプまたは第２の伝送タイプを端末に示すために導入される。例えば、０は、第１の伝送タイプを表し、１は、第２の伝送タイプを表す。
【０２２６】
ソリューション２：それらは、ＤＭＲＳシーケンス＋ＯＣＣ、またはＤＭＲＳシーケンス＋ＣＳインデックスに従って、区別される。例えば、ある端末に関して、基地局によって端末に配分されるＤＭＲＳシーケンスの循環シフト（ＣＳ）１は、第１の伝送タイプを表し、基地局によって端末に配分されるＤＭＲＳシーケンスのＣＳ６（ちょうど異なる）は、第２の伝送タイプを表す。
【０２２７】
ソリューション３：それらは、異なる無線ネットワーク一時識別子（ＲＮＴＩ）に従って、区別される。例えば、ＰＵＳＣＨの動的にスケジュールされた反復伝送に関して、Ｃ−ＲＮＴＩ１は、第１の伝送タイプを表し、Ｃ−ＲＮＴＩ２は、第２の伝送タイプを表す。ＰＵＳＣＨのグラントフリー反復伝送に関して、ＣＳ−ＲＮＴＩ１は、第１の伝送タイプを表し、ＣＳ−ＲＮＴＩ２は、第２の伝送タイプを表す。
【０２２８】
（第１６の実施形態）
【０２２９】
本実施形態は、ネットワークデバイスをさらに提供する。図１８を参照すると、ネットワークデバイスは、プロセッサ１８１と、メモリ１８２と、通信バス１８３とを含む。
【０２３０】
通信バス１８３は、プロセッサ１８１とメモリ１８２との間の接続および通信を実装するように構成される。
【０２３１】
プロセッサ１８１は、メモリ１８２内に記憶された１つ以上のコンピュータプログラムを実行し、上で述べられる複数の実施形態における反復伝送方法のステップ（ここでは繰り返されない）を実装するように構成される。
【０２３２】
本実施形態は、コンピュータ読み取り可能な記憶媒体をさらに提供する。コンピュータ読み取り可能な記憶媒体は、情報（コンピュータ読み取り可能な命令、データ構造、コンピュータプログラムモジュール、または他のデータ等）の記憶のための任意の方法または技術で実装される揮発性または不揮発性の取り外し可能または非取り外し可能媒体を含む。コンピュータ読み取り可能な記憶媒体は、限定ではないが、ランダムアクセスメモリ（ＲＡＭ）、読み取り専用メモリ（ＲＯＭ）、電気的消去可能プログラマブル読み取り専用メモリ（ＥＥＰＲＯＭ）、フラッシュメモリ、または他のメモリ技術、コンパクトディスク読み取り専用メモリ（ＣＤ−ＲＯＭ）、デジタル多用途ディスク（ＤＶＤ）、または別の光ディスク記憶装置、磁気カセット、磁気テープ、ディスク記憶装置、または別の磁気記憶装置、または所望の情報を記憶するために使用され、コンピュータによってアクセス可能である任意の他の媒体を含む。
【０２３３】
本実施形態におけるコンピュータ読み取り可能な記憶媒体は、上で説明される複数の実施形態における反復伝送方法の少なくとも１つのステップを実装するように、プロセッサによって実行可能な１つ以上のコンピュータプログラムを記憶するように構成され得る。
【０２３４】
本実施形態はさらに、コンピュータ読み取り可能な媒体上に分散させられ、上で説明される複数の実施形態における反復伝送方法の少なくとも１つのステップを実装するようにコンピューティング装置によって実行され得るコンピュータプログラム（またはコンピュータソフトウェア）を提供する。
【０２３５】
本実施形態は、上で示されるコンピュータプログラムが記憶されるコンピュータ読み取り可能な装置をさらに含む、コンピュータプログラム製品を提供する。本実施形態におけるコンピュータ読み取り可能な装置は、上で示されるコンピュータ読み取り可能な記憶媒体を含み得る。
【０２３６】
当業者が、上で開示される方法のステップ、システム、および装置の全てまたは一部における機能モジュール／ユニットが、ソフトウェア（コンピューティング装置によって実行可能なコンピュータプログラムコードによって実装され得る）、ファームウェア、ハードウェア、およびそれらの適切な組み合わせとして実装されることを理解するはずであることが、分かり得る。ハードウェア実装において、上で述べられる機能モジュール／ユニットの分割は、物理的コンポーネントの分割に対応しないこともある。例えば、１つの物理的コンポーネントが、複数の機能を有し得る、または１つの機能またはステップが、いくつかの物理的コンポーネントによって合同で実施され得る。いくつかまたは全ての物理的コンポーネントが、中央処理ユニット、デジタル信号プロセッサ、またはマイクロコントローラ等のプロセッサ、ハードウェア、または特定用途向け集積回路等の集積回路によって実行される、ソフトウェアとして実装され得る。
【０２３７】
加えて、当業者に公知であるように、通信媒体は、概して、コンピュータ読み取り可能な命令、データ構造、コンピュータプログラムモジュール、またはキャリアまたは他の伝送機構等の変調データ信号内の他のデータを含み、任意の情報送達媒体を含み得る。したがって、本開示は、ハードウェアおよびソフトウェアのいずれの具体的組み合わせにも限定されない。
【図１】
2021532632.tif 000003
【図２】
2021532632.tif 000004
【図３】
2021532632.tif 000005
【図４】
2021532632.tif 000006
【図５】
2021532632.tif 000007
【図６】
2021532632.tif 000008
【図７】
2021532632.tif 000009
【図８】
2021532632.tif 000010
【図９】
2021532632.tif 000011
【図１０】
2021532632.tif 000012
【図１１】
2021532632.tif 000013
【図１２】
2021532632.tif 000014
【図１３】
2021532632.tif 000015
【図１４】
2021532632.tif 000016
【図１５】
2021532632.tif 000017
【図１６】
2021532632.tif 000018
【図１７】
2021532632.tif 000019
【図１８】
2021532632.tif 000020
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
反復伝送の方法であって、前記方法は、
反復して伝送されるべきアップリンクデータのための複数の伝送機会（ＴＯ）を決定することと、
反復して伝送されるべき前記アップリンクデータのための前記複数のＴＯの中の少なくとも１つのＴＯがスロット構成の伝送方向と対立しないことに応答して、前記少なくとも１つのＴＯで前記アップリンクデータを反復して伝送することと
を含み、
前記スロット構成の前記伝送方向がＮ個の連続したフレキシブル（Ｆ）シンボルを示し、前記Ｎ個の連続したＦシンボルの前の隣接シンボルがダウンリンク（Ｄ）シンボルである場合、前記アップリンクデータは、前記Ｎ個の連続したＦシンボルの中のＭ番目のＦシンボルに対応する時間ドメインシンボルから反復して伝送され、Ｍ≦Ｎであり、前記Ｎ個の連続したＦシンボルの中の最初の（Ｍ−１）個のＦシンボルは、保護期間としての役割を果たす、方法。
【請求項２】
前記少なくとも１つのＴＯで前記アップリンクデータを反復して伝送することは、前記複数のＴＯが前記スロット構成の前記伝送方向と対立しないことに応答して、前記スロット構成の前記伝送方向と対立しない時間ドメイン内の最も早いＴＯから反復して伝送されるべき前記アップリンクデータを伝送することを含む、請求項１に記載の方法。
【請求項３】
前記Ｆシンボルの各々は、伝送方向にフレキシブルに構成されているシンボルを備える、請求項１に記載の方法。
【請求項４】
Ｎは、１、２、または８である、請求項１に記載の方法。
【請求項５】
前記スロット構成は、以下の様式：
ダウンリンク制御情報（ＤＣＩ）内のスロットフォーマットインジケータフィールドを検出すること、または、
無線リソース制御（ＲＲＣ）を介して構成されたスロットフォーマット指示コマンドを検出すること
のうちの少なくとも１つにおいて取得される、請求項１に記載の方法。
【請求項６】
前記少なくとも１つのＴＯで前記アップリンクデータを反復して伝送することは、前記少なくとも１つのＴＯの各々における少なくとも１つの時間ドメインシンボルが前記スロット構成の前記伝送方向と対立しない場合、前記少なくとも１つのＴＯの各々における対立していない時間ドメインシンボルにレートマッチングを実施することを含む、請求項１に記載の方法。
【請求項７】
前記少なくとも１つのＴＯで前記アップリンクデータを反復して伝送することは、前記少なくとも１つのＴＯの使用状況を示すためのＤＣＩを検出することを含む、請求項１に記載の方法。
【請求項８】
前記少なくとも１つのＴＯで前記アップリンクデータを反復して伝送することは、
時間ドメインシンボルが前記スロット構成の前記伝送方向と対立するＴＯを前記アップリンクデータの反復伝送の数の中に計数せず、前記アップリンクデータの前記反復伝送を後に構成されたＴＯで継続すること、
時間ドメインシンボルが前記スロット構成の前記伝送方向と対立するＴＯに対応するアップリンクデータを事前構成された冗長ＴＯで反復して伝送すること、または、
前記スロット構成の伝送方向と対立しない事前構成された冗長ＴＯで前記アップリンクデータを反復して伝送すること
のうちの少なくとも１つをさらに含む、請求項１に記載の方法。
【請求項９】
前記スロット構成は、少なくとも前記Ｄシンボルと、少なくとも１つのアップリンク（Ｕ）シンボルと、少なくとも前記Ｎ個の連続したＦシンボルとを備える、請求項１記載の方法。
【請求項１０】
反復伝送を受信するための方法であって、前記方法は、
反復して伝送されるべきアップリンクデータのための複数の伝送機会（ＴＯ）を決定することと、
反復して伝送されるべき前記アップリンクデータのための前記複数のＴＯの中の少なくとも１つのＴＯがスロット構成の伝送方向と対立しないことに応答して、前記少なくとも１つのＴＯで反復して伝送されるアップリンクデータを受信することと
を含み、
前記スロット構成の前記伝送方向がＮ個の連続したフレキシブル（Ｆ）シンボルを示し、前記Ｎ個の連続したＦシンボルの前の隣接シンボルがダウンリンク（Ｄ）シンボルである場合、前記アップリンクデータは、前記Ｎ個の連続したＦシンボルの中のＭ番目のＦシンボルに対応する時間ドメインシンボルから反復して伝送され、Ｍ＜Ｎであり、前記Ｎ個の連続したＦシンボルの中の最初の（Ｍ−１）個のＦシンボルは、保護期間としての役割を果たす、方法。
【請求項１１】
前記Ｆシンボルの各々は、伝送方向にフレキシブルに構成されているシンボルを備える、請求項１０に記載の方法。
【請求項１２】
Ｎは、１、２、または８である、請求項１０に記載の方法。
【請求項１３】
前記スロット構成は、少なくとも前記Ｄシンボルと、少なくとも１つのアップリンク（Ｕ）シンボルと、少なくとも前記Ｎ個の連続したＦシンボルとを備える、請求項１０記載の方法。
【請求項１４】
反復伝送を伴うデバイスであって、前記デバイスは、請求項１〜１３のうちのいずれか１項に記載の方法を実装するように構成された少なくとも１つのプロセッサを備える、デバイス。
【請求項１５】
命令を記憶しているコンピュータ読み取り可能な記憶媒体であって、前記命令は、１つ以上のプロセッサによって実行されると、前記１つ以上のプロセッサに、請求項１〜１３のうちのいずれか１項に記載の方法を実施させる、コンピュータ読み取り可能な記憶媒体。
【手続補正２】
【補正対象書類名】明細書
【補正対象項目名】００２８
【補正方法】変更
【補正の内容】
【００２８】
本開示の実施形態は、１つ以上のプログラムを記憶しているコンピュータ読み取り可能な記憶媒体をさらに提供し、１つ以上のプログラムは、前述の方法を実装するために、１つ以上のプロセッサによって実行可能である。
本願明細書は、例えば、以下の項目も提供する。
（項目１）
反復伝送方法であって、前記方法は、
反復して伝送されるべきアップリンクデータのための複数の伝送機会（ＴＯ）を決定することと、
反復して伝送されるべき前記アップリンクデータのための前記複数のＴＯの中の少なくとも１つのＴＯがスロット構成の伝送方向と対立しないことに応答して、前記少なくとも１つのＴＯで前記アップリンクデータを反復して伝送することと
を含む、方法。
（項目２）
前記少なくとも１つのＴＯで前記アップリンクデータを反復して伝送することは、前記複数のＴＯが前記スロット構成の前記伝送方向と対立しないことに応答して、前記スロット構成の前記伝送方向と対立しない時間ドメイン内の最も早いＴＯから反復して伝送されるべき前記アップリンクデータを伝送することを含む、項目１に記載の方法。
（項目３）
前記スロット構成の前記伝送方向と対立しない前記時間ドメイン内の前記最も早いＴＯから反復して伝送されるべき前記アップリンクデータを伝送することは、
反復して伝送されるべき前記アップリンクデータに関して、前記時間ドメイン内の前記最も早いＴＯから、０の冗長性バージョン（ＲＶ）インデックスを伴うアップリンクデータを反復して伝送すること、または、
反復して伝送されるべき前記アップリンクデータに関して、前記時間ドメイン内の前記最も早いＴＯから、前記時間ドメイン内の前記最も早いＴＯに対応するアップリンクデータを反復して伝送することを含む、項目２に記載の方法。
（項目４）
前記スロット構成の前記伝送方向と対立しない前記時間ドメイン内の前記最も早いＴＯは、
時間ドメインシンボルのうちのいずれも前記スロット構成の伝送方向と対立しない前記複数のＴＯの中の前記時間ドメイン内の最も早いＴＯ、または
少なくとも１つの時間ドメインシンボルが前記スロット構成の伝送方向と対立しない前記複数のＴＯの中の前記時間ドメイン内の最も早いＴＯ
を備えている、項目２に記載の方法。
（項目５）
前記スロット構成は、以下の様式：
ダウンリンク制御情報（ＤＣＩ）内のスロットフォーマットインジケータフィールドを検出すること、または、
無線リソース制御（ＲＲＣ）を介して構成されたスロットフォーマット指示コマンドを検出すること
のうちの少なくとも１つにおいて取得される、項目１に記載の方法。
（項目６）
前記少なくとも１つのＴＯで前記アップリンクデータを反復して伝送することは、前記少なくとも１つのＴＯの各々における少なくとも１つの時間ドメインシンボルが前記スロット構成の前記伝送方向と対立しない条件において、前記少なくとも１つのＴＯの各々における対立していない時間ドメインシンボルにレートマッチングを実施することを含む、項目１−５のいずれか１項に記載の方法。
（項目７）
前記少なくとも１つのＴＯの各々における前記対立していない時間ドメインシンボルに前記レートマッチングを実施することは、
前記ＲＲＣを介して構成された変調およびコーディングスキーム（ＭＣＳ）パラメータにおける変調順をそのままで維持し、前記少なくとも１つのＴＯの各々における残りの利用可能なリソースに従って、新しいコードレートを計算し、前記新しいコードレートに従って前記レートマッチングを実施すること、または、
アップリンク伝送のための新しい変調順およびコードレートを計算し、前記計算された変調順についての情報を基地局に報告し、前記少なくとも１つのＴＯの各々における前記変調順および残りの利用可能なリソースに従って、前記コードレートを計算すること、または、
利用可能なリソースに従って、新しい変調順を計算し、コードレートおよび前記新しい変調順に従って、前記アップリンクデータを直接送信すること
を含む、項目６に記載の方法。
（項目８）
前記少なくとも１つのＴＯで前記アップリンクデータを反復して伝送することは、前記少なくとも１つのＴＯの使用状況を示すためのＤＣＩを検出することを含む、項目１−４のいずれか１項に記載の方法。
（項目９）
前記少なくとも１つのＴＯの各々の前記使用状況を示すための前記ＤＣＩを検出することは、
前記ＤＣＩを検出し、アップリンクグラントフリー伝送のために構成された関連性のあるパラメータを入手することと、
示されたＴＯの伝送パラメータを調節し、調節されたＴＯに従って前記アップリンクデータを反復して伝送することと
を含む、項目８に記載の方法。
（項目１０）
前記アップリンクグラントフリー伝送のために構成された前記関連性のあるパラメータは、
時間ドメインリソース、
周波数ドメインリソース、
ＲＲＣを介して構成された反復伝送の数Ｋ、
ＴＯインデックス、
ＭＣＳ、または、
再構成されたパラメータが効果を生じる時間、または前記再構成されたパラメータが効果を生じる回数
のうちの少なくとも１つを備えている、項目９に記載の方法。
（項目１１）
前記少なくとも１つのＴＯで前記アップリンクデータを反復して伝送することは、
時間ドメインシンボルが前記スロット構成の前記伝送方向と対立するＴＯを前記アップリンクデータの反復伝送の数の中に計数せず、前記アップリンクデータの反復伝送を後に構成されたＴＯで継続すること、
時間ドメインシンボルが前記スロット構成の前記伝送方向と対立するＴＯに対応するアップリンクデータを事前構成された冗長ＴＯで反復して伝送すること、または、
前記スロット構成の伝送方向と対立しない事前構成された冗長ＴＯで前記アップリンクデータを反復して伝送すること
のうちの少なくとも１つをさらに含む、項目１−５のいずれか１項に記載の方法。
（項目１２）
時間窓を入手し、前記時間窓を通して遅延ＴＯで前記アップリンクデータを送信する状況を決定することをさらに含む、項目１１に記載の方法。
（項目１３）
前記時間窓と端末および基地局の処理時間との総和は、第１の事前設定された閾値以下である、項目１２に記載の方法。
（項目１４）
前記時間窓を通して前記遅延ＴＯで前記アップリンクデータを送信する前記状況を決定することは、
反復して伝送されるべき前記アップリンクデータに関して、第１の伝送から前記遅延ＴＯまでの持続時間を前記時間窓と比較し、前記持続時間が前記時間窓以下である条件において、前記アップリンクデータを前記遅延ＴＯで送信すること、または、
反復して伝送されるべき前記アップリンクデータに関して、前記ＤＣＩが位置している制御リソースセットＣＯＲＥＳＥＴの最後のシンボルが検出されたときから前記遅延ＴＯまでの持続時間を前記時間窓と比較し、前記持続時間が前記時間窓以下である条件において、前記アップリンクデータを前記遅延ＴＯで送信すること
を含む、項目１２に記載の方法。
（項目１５）
前記少なくとも１つのＴＯで前記アップリンクデータを反復して伝送した後、前記方法は、基地局からの指示に従って前記アップリンクデータの反復の実際の数を決定することをさらに含む、項目１１に記載の方法。
（項目１６）
前記基地局からの前記指示に従って前記アップリンクデータの前記反復の実際の数を決定することは、遅延の標的値に従って、前記アップリンクデータが各ＴＯで送信されることが可能であるかどうかを決定し、前記反復の実際の数を決定することを含む、項目１５に記載の方法。
（項目１７）
前記スロット構成は、ダウンリンクシンボルＤと、アップリンクシンボルＵと、フレキシブルシンボルＦとを備え、
前記スロット構成の前記伝送方向がＮ個の連続したＦシンボルを示し、前記Ｎ個の連続したＦシンボルの前の隣接シンボルの伝送方向がＤである条件において、前記アップリンクデータは、前記Ｎ個の連続したＦシンボルの中のＭ番目のＦに対応する時間ドメインシンボルから反復して伝送され、Ｍ≦Ｎであり、前記Ｎ個の連続したＦシンボルの中の最初の（Ｍ−１）個のＦシンボルは、保護期間としての役割を果たす、項目１−５のいずれか１項に記載の方法。
（項目１８）
Ｄシンボルに対応する時間ドメインシンボル上で伝送されるダウンリンクデータを処理するために要求される持続時間が第２の事前設定された閾値以上の条件において、Ｍ＜Ｎである、項目１７に記載の方法。
（項目１９）
反復伝送方法であって、前記方法は、
アップリンクデータの反復伝送のタイプが第１の伝送タイプであるか、第２の伝送タイプであるかを決定することであって、前記第１の伝送タイプは、複数のスロットによる反復して伝送されるアップリンクデータであり、前記第２の伝送タイプは、１つのスロット内の複数のミニスロットによる反復して伝送されるアップリンクデータである、ことと、
前記アップリンクデータの前記反復伝送の前記決定されたタイプに従って、前記アップリンクデータを反復して伝送することと
を含む、方法。
（項目２０）
前記アップリンクデータの前記反復伝送の前記タイプが前記第１の伝送タイプであるか、前記第２の伝送タイプであるかを決定することは、
上位層無線リソース制御（ＲＲＣ）シグナリングまたは物理層ダウンリンク制御情報（ＤＣＩ）シグナリングの指示を通して、前記アップリンクデータの前記反復伝送の前記タイプが前記第１の伝送タイプであるか、前記第２の伝送タイプであるかを決定することを含む、項目１９に記載の方法。
（項目２１）
前記アップリンクデータの前記反復伝送の前記タイプが前記第１の伝送タイプであるか、前記第２の伝送タイプであるかを決定することは、
復調基準信号（ＤＭＲＳ）シーケンス＋直交カバーコード（ＯＣＣ）またはＤＭＲＳシーケンス＋循環シフト（ＣＳ）インデックスに従って、前記第１の伝送タイプと前記第２の伝送タイプとを区別することを含む、項目１９に記載の方法。
（項目２２）
前記アップリンクデータの前記反復伝送の前記タイプが前記第１の伝送タイプであるか、前記第２の伝送タイプであるかを決定することは、
異なる無線ネットワーク一時識別子ＲＮＴＩに従って、前記第１の伝送タイプと前記第２の伝送タイプとを区別することを含む、項目１９に記載の方法。
（項目２３）
反復伝送方法であって、前記方法は、
反復して伝送されるべきアップリンクデータのための複数の伝送機会（ＴＯ）を決定することと、
反復して伝送されるべき前記アップリンクデータのための前記複数のＴＯの中の少なくとも１つのＴＯがスロット構成の伝送方向と対立しないことに応答して、前記少なくとも１つのＴＯで反復して伝送されるアップリンクデータを受信することと
を含む、方法。
（項目２４）
前記少なくとも１つのＴＯで前記反復して伝送されるアップリンクデータを受信することは、前記少なくとも１つのＴＯの各々における少なくとも１つの時間ドメインシンボルが前記スロット構成の伝送方向と対立する条件において、前記少なくとも１つのＴＯの各々における対立していない時間ドメインシンボルにレートマッチングを実施することを含む、項目２３に記載の方法。
（項目２５）
前記少なくとも１つのＴＯの各々における前記対立していない時間ドメインシンボルに前記レートマッチングを実施することは、無線リソース制御（ＲＲＣ）を介して構成された変調およびコーディングスキーム（ＭＣＳ）パラメータにおける変調順をそのままで維持し、前記少なくとも１つのＴＯの各々における残りの利用可能なリソースに従って新しいコードレートを計算し、前記新しいコードレートに従って前記レートマッチングを実施することを含む、項目２４に記載の方法。
（項目２６）
前記少なくとも１つのＴＯで前記反復して伝送されるアップリンクデータを受信することは、前記少なくとも１つのＴＯの使用状況を端末に示すためのダウンリンク制御情報（ＤＣＩ）を構成することを含む、項目２３に記載の方法。
（項目２７）
前記少なくとも１つのＴＯの前記使用状況を示すための前記ＤＣＩを構成することは、前記ＤＣＩを通して、アップリンクグラントフリー伝送のために構成された関連性のあるパラメータを再構成することを含む、項目２６に記載の方法。
（項目２８）
前記少なくとも１つのＴＯで前記反復して伝送されるアップリンクデータを受信することは、
時間ドメインシンボルが前記スロット構成の前記伝送方向と対立するＴＯを前記アップリンクデータの反復伝送の数の中に計数せず、後に前記ＴＯを構成し、後に構成された前記ＴＯで前記反復して伝送されるアップリンクデータを受信すること、
時間ドメインシンボルが前記スロット構成の前記伝送方向と対立するＴＯに対応するアップリンクデータを事前構成された冗長ＴＯで受信すること、または
前記スロット構成の伝送方向と対立しない事前構成された冗長ＴＯで前記反復して伝送されるアップリンクデータを受信すること
のうちの少なくとも１つを含む、項目２３に記載の方法。
（項目２９）
前記少なくとも１つのＴＯで前記反復して伝送されるアップリンクデータを受信することは、端末に前記アップリンクデータの反復伝送の実際の数を通知することを含む、項目２８に記載の方法。
（項目３０）
前記端末に前記アップリンクデータの前記反復伝送の前記実際の数を通知することは、遅延の標的値に従って、前記アップリンクデータが各ＴＯで送信されることが可能であるかどうかを決定し、反復の実際の数を決定することを含む、項目２９に記載の方法。
（項目３１）
反復伝送装置であって、前記反復伝送装置は、
反復して伝送されるべきアップリンクデータのための複数の伝送機会（ＴＯ）を決定するように構成された伝送決定モジュール（１５１）と、
伝送モジュール（１５２）と
を備え、
前記伝送モジュールは、反復して伝送されるべき前記アップリンクデータのための前記複数のＴＯの中の少なくとも１つのＴＯがスロット構成の伝送方向と対立しない条件において、前記少なくとも１つのＴＯで前記アップリンクデータを反復して伝送するように構成されている、反復伝送装置。
（項目３２）
反復伝送装置であって、前記反復伝送装置は、
反復して伝送されるべきアップリンクデータのための複数の伝送機会（ＴＯ）を決定するように構成された伝送決定モジュール（１６１）と、
伝送受信モジュール（１６２）と
を備え、
前記伝送受信モジュールは、反復して伝送されるべき前記アップリンクデータのための前記複数のＴＯの中の少なくとも１つのＴＯがスロット構成の伝送方向と対立しない条件において、前記少なくとも１つのＴＯで反復して伝送されるアップリンクデータを受信するように構成されている、反復伝送装置。
（項目３３）
反復伝送装置であって、前記反復伝送装置は、
アップリンクデータの反復伝送のタイプが第１の伝送タイプであるか、第２の伝送タイプであるかを決定するように構成されたタイプ決定モジュール（１７１）であって、前記第１の伝送タイプは、複数のスロットによる反復して伝送されるアップリンクデータであり、前記第２の伝送タイプは、１つのスロット内の複数のミニスロットによる反復して伝送されるアップリンクデータである、タイプ決定モジュールと、
前記アップリンクデータの前記反復伝送の前記決定されたタイプに従って、前記アップリンクデータを反復して伝送するように構成された伝送モジュール（１７２）と
を備えている、反復伝送装置。
（項目３４）
プロセッサ（１８１）と、メモリ（１８２）と、通信バス（１８３）とを備えているネットワークデバイスであって、
前記通信バス（１８３）は、前記プロセッサ（１８１）と前記メモリ（１８２）との間の接続および通信を実装するように構成され、
前記プロセッサ（１８１）は、前記メモリ（１８２）に記憶された１つ以上のコンピュータプログラムを実行し、項目１−１８のいずれか１項に記載の方法、項目１９−２２のいずれか１項に記載の方法、または項目２３−３０のいずれか１項に記載の方法のうちの少なくとも１つを実装するように構成されている、ネットワークデバイス。
（項目３５）
１つ以上のコンピュータプログラムを記憶しているコンピュータ読み取り可能な記憶媒体であって、前記１つ以上のコンピュータプログラムは、項目１−１８のいずれか１項に記載の方法、項目１９−２２のいずれか１項に記載の方法、または項目２３−３０のいずれか１項に記載の方法のうちの少なくとも１つを実装するために、１つ以上のプロセッサによって実行可能である、コンピュータ読み取り可能な記憶媒体。
【国際調査報告】
2021532632.tif 000021
2021532632.tif 000022
2021532632.tif 000023
2021532632.tif 000024